(57)【特許請求の範囲】
【請求項１】
コントローラと通信しているとき充電動作を実行し、コントローラと通信していないとき充電動作を実行しない第１コンテンツ再生装置または第２コンテンツ再生装置に充電用の電源電圧を供給するクレードルであって、
前記第１コンテンツ再生装置が接続可能な第１接続部と、
前記第２コンテンツ再生装置が接続可能な第２接続部と、
第２コントローラを備えるコンピュータが接続可能な第３接続部と、
前記第１コンテンツ再生装置または前記第２コンテンツ再生装置と通信する第１コントローラと、
前記第３接続部、第１スイッチ及び第２スイッチに接続されているハブと、
前記第１接続部と前記コントローラとを接続するか、又は、前記第１接続部と前記ハブとを接続するかを切り換える前記第１スイッチと、
前記第２接続部と前記コントローラとを接続するか、又は、前記第２接続部と前記ハブとを接続するかを切り換える前記第２スイッチと、
前記第１スイッチおよび前記第２スイッチを切り換え制御するスイッチ制御部とを備え、
前記スイッチ制御部が前記第１スイッチに前記第１接続部と前記第１コントローラとを接続させるとき、前記第１コントローラに前記第１コンテンツ再生装置と通信させ、
前記スイッチ制御部が前記第１スイッチに前記第１接続部と前記ハブとを接続させるとき、前記第２コントローラに前記第１コンテンツ再生装置と通信させ、
前記スイッチ制御部が前記第２スイッチに前記第２接続部と前記第１コントローラとを接続させるとき、前記第１コントローラに前記第２コンテンツ再生装置と通信させ、
前記スイッチ制御部が前記第２スイッチに前記第２接続部と前記ハブとを接続させるとき、前記第２コントローラに前記第２コンテンツ再生装置と通信させる、クレードル。
【請求項２】
前記第１スイッチと前記第１コントローラとを接続するか、又は、前記第２スイッチと前記第１コントローラとを接続するかを切り換える第３スイッチをさらに備え、
前記第１スイッチが前記第１接続部と前記第３スイッチとを接続するか、又は、前記第１接続部と前記ハブとを接続するかを切り換えるものであり、
前記第２スイッチが前記第２接続部と前記第３スイッチとを接続するか、又は、前記第２接続部と前記ハブとを接続するかを切り換えるものであり、
前記スイッチ制御部が、前記第１スイッチに前記第１接続部と前記第３スイッチとを接続させ、かつ、前記第３スイッチに前記第１スイッチと前記第１コントローラとを接続させるとき、前記第１コントローラに前記第１コンテンツ再生装置と通信させ、
前記スイッチ制御部が、前記第２スイッチに前記第２接続部と前記第３スイッチとを接続させ、かつ、前記第３スイッチに前記第２スイッチと前記第１コントローラとを接続させるとき、前記第１コントローラに前記第２コンテンツ再生装置と通信させる、請求項１に記載のクレードル。
【請求項３】
前記スイッチ制御部が、前記第１スイッチに前記第１接続部と前記第３スイッチとを接続させ、かつ、前記第３スイッチに前記第１スイッチと前記第１コントローラとを接続させるとき、前記第２スイッチに前記第２接続部と前記ハブとを接続させる、請求項２に記載のクレードル。
【請求項４】
前記スイッチ制御部が、前記第２スイッチに前記第２接続部と前記第３スイッチとを接続させ、かつ、前記第３スイッチに前記第２スイッチと前記第１コントローラとを接続させるとき、前記第１スイッチに前記第１接続部と前記ハブとを接続させる、請求項３に記載のクレードル。
【請求項５】
前記スイッチ制御部が、前記第１スイッチに前記第１接続部と前記第１コントローラとを接続させるとき、前記第２スイッチに前記第２接続部と前記ハブとを接続させる、請求項１に記載のクレードル。
【請求項６】
コンテンツデータを出力する出力部をさらに備え、
前記第１コンテンツ再生装置からのコンテンツデータを受信し前記出力部から出力する場合、前記スイッチ制御部が、前記第１スイッチに前記第１接続部と前記第１コントローラとを接続させ、
前記コンピュータからのコンテンツファイルを前記第１コンテンツ再生装置に転送し記録させる場合、前記スイッチ制御部が、前記第１スイッチに前記第１接続部と前記ハブとを接続させ、
前記第２コンテンツ再生装置からのコンテンツデータを受信し前記出力部から出力する場合、前記スイッチ制御部が、前記第２スイッチに前記第２接続部と前記第１コントローラとを接続させ、
前記コンピュータからのコンテンツファイルを前記第２コンテンツ再生装置に転送し記録させる場合、前記スイッチ制御部が、前記第２スイッチに前記第２接続部と前記ハブとを接続させる、請求項１に記載のクレードル。
【請求項７】
コンテンツデータを出力する出力部をさらに備え、
前記第１コンテンツ再生装置からのコンテンツデータを受信し前記出力部から出力する場合、前記スイッチ制御部が、前記第１スイッチに前記第１接続部と前記第３スイッチとを接続させ、かつ、前記第３スイッチに前記第１スイッチと前記第１コントローラとを接続させ、
前記コンピュータからのコンテンツファイルを前記第１コンテンツ再生装置に転送し記録させる場合、前記スイッチ制御部が、前記第１スイッチに前記第１接続部と前記ハブとを接続させ、
前記第２コンテンツ再生装置からのコンテンツデータを受信し前記出力部から出力する場合、前記スイッチ制御部が、前記第２スイッチに前記第２接続部と前記第３スイッチとを接続させ、かつ、前記第３スイッチに前記第２スイッチと前記第１コントローラとを接続させ、
前記コンピュータからのコンテンツファイルを前記第２コンテンツ再生装置に転送し記録させる場合、前記スイッチ制御部が、前記第２スイッチに前記第２接続部と前記ハブとを接続させる、請求項２に記載のクレードル。
【発明の詳細な説明】
【技術分野】
【０００１】
本発明は、コンテンツ再生装置用クレードルに関する。
【背景技術】
【０００２】
ＰＣや携帯型コンテンツ再生装置（以下、ＤＡＰという。）は、ＨＤＤ等の記録媒体を備え、ＨＤＤ内に複数のオーディオファイルを記録し、ＨＤＤに記録されているオーディオファイルを再生する。（１）ＰＣに記録されたオーディオファイルをＤＡＰに転送して記録する場合、ユーザの作業によりＰＣとＤＡＰとをＵＳＢケーブルを介して接続する。ＰＣはＨＤＤに記録されたオーディオファイルをＤＡＰに転送し、ＤＡＰは転送されたオーディオファイルをＨＤＤに記録する。（２）ＤＡＰに記録されたオーディオファイルを再生し、音楽を聴く場合、ユーザの作業によりＤＡＰをクレードルに接続し、クレードルを増幅装置に接続する（例えば、下記特許文献１）。ＤＡＰはオーディオファイルをデコードし、オーディオデータをクレードルを介して増幅装置に送信し、増幅装置によって音声が再生される。上記の（１）（２）の各動作を実行するためには、その都度、ユーザ作業によってＰＣ、ＤＡＰ、クレードル及び増幅装置を接続および接続解除する必要があり、その作業が非常に煩雑である。
【０００３】
特に、ユーザが複数のＤＡＰを所有しており、上記（１）のようにＰＣからのオーディオファイルを複数のＤＡＰに転送し記録する場合や、上記（２）のように複数のＤＡＰにオーディオデータを再生させ増幅装置から音声を出力させる場合には、その都度、ユーザの作業によって上記のように複数のＤＡＰを接続および接続解除する必要があり、その作業がさらに煩雑になる。
【０００４】
さらに、（３）ＰＣに記録されたオーディオファイルを再生し、オーディオを聴く場合、ユーザの作業によりＰＣを増幅装置に接続する。ＰＣはオーディオファイルをデコードし、オーディオデータを増幅装置に送信し、増幅装置によって音声が再生される。上記の（１）（２）に加えて上記（３）の動作も実行するためには、その都度、ユーザ作業によってＰＣ、ＤＡＰ、クレードル及び増幅装置を接続および接続解除する必要があり、その作業がさらに煩雑になる。
【０００５】
また、ＤＡＰは、ＰＣやクレードルにＵＳＢ経由で接続され、ＰＣやクレードルから充電用電圧が供給されることにより、バッテリを充電する。ＤＡＰの中には、ＵＳＢのデータラインＤ＋、Ｄ−を介してホストコントローラから充電コマンドが所定時間間隔で供給されているときに（つまり、ホストコントローラと通信しているときに）充電用電圧によりバッテリを充電し、ホストコントローラから充電コマンドが所定時間間隔で供給されていないときに（つまり、ホストコントローラと通信していないときに）バッテリを充電しないものがある。従って、ＰＣの電源がオフ状態にされると、充電用電圧はＰＣからＤＡＰに供給されているものの、ＰＣからＤＡＰに充電コマンドが供給されなくなるので、ＤＡＰはバッテリを充電できないという問題がある。
【０００６】
また、下記特許文献３には、複数の携帯情報端末装置（デジタルカメラ）を接続可能なクレードルが記載されている。ここで、クレードルに複数のＤＡＰを接続可能とした場合、複数のＤＡＰの中の１つのＤＡＰからオーディオデータが増幅装置に供給され、増幅装置から音声を出力している状態において、当該再生中のＤＡＰをユーザがクレードルから接続解除してしまうと、増幅装置にはＤＡＰからオーディオデータが供給されなくなり、音声を出力できなくなる。従って、増幅装置にオーディオデータを供給するためには、接続解除したＤＡＰを再度クレードルに接続するか、又は、他のＤＡＰからオーディオデータが増幅装置に供給されるようにクレードルやＤＡＰをユーザが操作する必要がある。同様に、ＰＣを増幅装置に接続し、ＰＣからのオーディオデータを増幅装置に供給している状態で、ＰＣを増幅装置から接続解除すると増幅装置にはオーディオデータが供給されなくなる。
【０００７】
また、ホストコントローラから充電コマンドを受信している際のみに充電可能な複数のＤＡＰをクレードルに接続可能とした場合、複数のＤＡＰに充電コマンドを供給し充電させるための技術的手段が要望されている。
【先行技術文献】
【特許文献】
【０００８】
【特許文献１】特開２００６−２４４６０７号公報
【特許文献２】特開２００７−６８３３３号公報
【特許文献３】特開２００６−２４６２１７号公報
【発明の概要】
【発明が解決しようとする課題】
【０００９】
本発明の目的は、コンテンツ再生装置がコンピュータのホストコントローラと通信できない場合でも、コンテンツ再生装置を充電することができるコンテンツ再生装置のクレードルを提供することである。
【００１０】
また、本発明の別の目的は、ホストコントローラと通信している際のみに充電可能な２つのコンテンツ再生装置をクレードルに接続可能とした場合、２つのコンテンツ再生装置を充電させることができるクレードルを提供することである。
【課題を解決するための手段】
【００１１】
本発明の好ましい実施形態によるクレードルは、コントローラと通信しているとき充電動作を実行し、コントローラと通信していないとき充電動作を実行しない第１コンテンツ再生装置または第２コンテンツ再生装置に充電用の電源電圧を供給するクレードルであって、前記第１コンテンツ再生装置が接続可能な第１接続部と、前記第２コンテンツ再生装置が接続可能な第２接続部と、第２コントローラを備えるコンピュータが接続可能な第３接続部と、前記第１コンテンツ再生装置または前記第２コンテンツ再生装置と通信する第１コントローラと、前記第３接続部、第１スイッチ及び第２スイッチに接続されているハブと、前記第１接続部と前記コントローラとを接続するか、又は、前記第１接続部と前記ハブとを接続するかを切り換える前記第１スイッチと、前記第２接続部と前記コントローラとを接続するか、又は、前記第２接続部と前記ハブとを接続するかを切り換える前記第２スイッチと、前記第１スイッチおよび前記第２スイッチを切り換え制御するスイッチ制御部とを備え、前記スイッチ制御部が前記第１スイッチに前記第１接続部と前記第１コントローラとを接続させるとき、前記第１コントローラに前記第１コンテンツ再生装置と通信させ、前記スイッチ制御部が前記第１スイッチに前記第１接続部と前記ハブとを接続させるとき、前記第２コントローラに前記第１コンテンツ再生装置と通信させ、前記スイッチ制御部が前記第２スイッチに前記第２接続部と前記第１コントローラとを接続させるとき、前記第１コントローラに前記第２コンテンツ再生装置と通信させ、前記スイッチ制御部が前記第２スイッチに前記第２接続部と前記ハブとを接続させるとき、前記第２コントローラに前記第２コンテンツ再生装置と通信させる。
【００１２】
第１スイッチが第１接続部と第１コントローラとを接続させるとき、第１コンテンツ再生装置はコンピュータと接続されなくなるが、クレードル内の第１コントローラと接続される。従って、第１コントローラが第１コンテンツ再生装置と通信することにより、第１コンテンツ再生装置は充電を実行することができる。第１スイッチが第１接続部とハブとを接続させるとき、第１コンテンツ再生装置は第１コントローラと接続されなくなるが、コンピュータ内の第２コントローラと接続される。従って、第２コントローラが第１コンテンツ再生装置と通信することにより、第１コンテンツ再生装置は充電を実行することができる。第２スイッチが第２接続部と第１コントローラとを接続させるとき、第２コンテンツ再生装置はコンピュータと接続されなくなるが、クレードル内の第１コントローラと接続される。従って、第１コントローラが第２コンテンツ再生装置と通信することにより、第２コンテンツ再生装置は充電を実行することができる。第２スイッチが第２接続部とハブとを接続させるとき、第２コンテンツ再生装置は第１コントローラと接続されなくなるが、コンピュータ内の第２コントローラと接続される。従って、第２コントローラが第２コンテンツ再生装置と通信することにより、第２コンテンツ再生装置は充電を実行することができる。
【００１３】
好ましい実施形態においては、前記第１スイッチと前記第１コントローラとを接続するか、又は、前記第２スイッチと前記第１コントローラとを接続するかを切り換える第３スイッチをさらに備え、前記第１スイッチが前記第１接続部と前記第３スイッチとを接続するか、又は、前記第１接続部と前記ハブとを接続するかを切り換えるものであり、前記第２スイッチが前記第２接続部と前記第３スイッチとを接続するか、又は、前記第２接続部と前記ハブとを接続するかを切り換えるものであり、前記スイッチ制御部が、前記第１スイッチに前記第１接続部と前記第３スイッチとを接続させ、かつ、前記第３スイッチに前記第１スイッチと前記第１コントローラとを接続させるとき、前記第１コントローラに前記第１コンテンツ再生装置と通信させ、前記スイッチ制御部が、前記第２スイッチに前記第２接続部と前記第３スイッチとを接続させ、かつ、前記第３スイッチに前記第２スイッチと前記第１コントローラとを接続させるとき、前記第１コントローラに前記第２コンテンツ再生装置と通信させる。
【００１４】
第１スイッチが第１接続部と第３スイッチとを接続し、第３スイッチが第１スイッチと第１コントローラとを接続するとき、第１コンテンツ再生装置はコンピュータと接続されなくなるが、クレードル内の第１コントローラと接続される。従って、第１コントローラが第１コンテンツ再生装置と通信することにより、第１コンテンツ再生装置は充電を実行することができる。第１スイッチが第１接続部とハブとを接続させるとき、第１コンテンツ再生装置は第１コントローラと接続されなくなるが、コンピュータ内の第２コントローラと接続される。従って、第２コントローラが第１コンテンツ再生装置と通信することにより、第１コンテンツ再生装置は充電を実行することができる。第２スイッチが第２接続部と第３スイッチとを接続し、第３スイッチが第２スイッチと第１コントローラとを接続するとき、第２コンテンツ再生装置はコンピュータと接続されなくなるが、クレードル内の第１コントローラと接続される。従って、第１コントローラが第２コンテンツ再生装置と通信することにより、第２コンテンツ再生装置は充電を実行することができる。第２スイッチが第２接続部とハブとを接続させるとき、第２コンテンツ再生装置は第１コントローラと接続されなくなるが、コンピュータ内の第２コントローラと接続される。従って、第２コントローラが第２コンテンツ再生装置と通信することにより、第２コンテンツ再生装置は充電を実行することができる。
【００１５】
好ましい実施形態においては、前記スイッチ制御部が、前記第１スイッチに前記第１接続部と前記第３スイッチとを接続させ、かつ、前記第３スイッチに前記第１スイッチと前記第１コントローラとを接続させるとき、前記第２スイッチに前記第２接続部と前記ハブとを接続させる。
【００１６】
第１コンテンツ再生装置に第１コントローラがコマンドを送信するために、第３スイッチが第１スイッチと第１コントローラとを接続するので、第２コンテンツ再生装置は第１コントローラに接続することができず、第１コントローラからコマンドを受信することができない。そこで、第２スイッチが第２接続部とハブとを接続することにより、第２コンテンツ再生装置は、第２コントローラに接続される。従って、第２コンテンツ再生装置は、第２コントローラと通信し、充電することができる。その結果、第１コンテンツ再生装置および第２コンテンツ再生装置を同時に充電することができる。
【００１７】
好ましい実施形態においては、前記スイッチ制御部が、前記第２スイッチに前記第２接続部と前記第３スイッチとを接続させ、かつ、前記第３スイッチに前記第２スイッチと前記第１コントローラとを接続させるとき、前記第１スイッチに前記第１接続部と前記ハブとを接続させる。
【００１８】
第２コンテンツ再生装置と第１コントローラとが通信するために、第３スイッチが第２スイッチと第１コントローラとを接続するので、第１コンテンツ再生装置は第１コントローラに接続することができず、第１コントローラと通信することができない。そこで、第１スイッチが第１接続部とハブとを接続することにより、第１コンテンツ再生装置は、第２コントローラに接続される。従って、第１コンテンツ再生装置は、第２コントローラと通信し、充電することができる。その結果、第１コンテンツ再生装置および第２コンテンツ再生装置を同時に充電することができる。
【００１９】
好ましい実施形態においては、前記スイッチ制御部が、前記第１スイッチに前記第１接続部と前記第１コントローラとを接続させるとき、前記第２スイッチに前記第２接続部と前記ハブとを接続させる。
【００２０】
第１コンテンツ再生装置と第１コントローラとが通信するために、第１スイッチが第１接続部と第１コントローラとを接続するので、第２コンテンツ再生装置は第１コントローラに接続することができず、第１コントローラと通信することができない。そこで、第２スイッチが第２接続部とハブとを接続することにより、第２コンテンツ再生装置は、第２コントローラに接続される。従って、第２コンテンツ再生装置は、第２コントローラと通信し、充電することができる。その結果、第１コンテンツ再生装置および第２コンテンツ再生装置を同時に充電することができる。
【００２１】
好ましい実施形態においては、コンテンツデータを出力する出力部をさらに備え、前記第１コンテンツ再生装置からのコンテンツデータを受信し前記出力部から出力する場合、前記スイッチ制御部が、前記第１スイッチに前記第１接続部と前記第１コントローラとを接続させ、前記コンピュータからのコンテンツファイルを前記第１コンテンツ再生装置に転送し記録させる場合、前記スイッチ制御部が、前記第１スイッチに前記第１接続部と前記ハブとを接続させ、前記第２コンテンツ再生装置からのコンテンツデータを受信し前記出力部から出力する場合、前記スイッチ制御部が、前記第２スイッチに前記第２接続部と前記第１コントローラとを接続させ、前記コンピュータからのコンテンツファイルを前記第２コンテンツ再生装置に転送し記録させる場合、前記スイッチ制御部が、前記第２スイッチに前記第２接続部と前記ハブとを接続させる。
【００２２】
第１コンテンツ再生装置再生状態の場合、第１スイッチが第１接続部とコントローラとを接続する。従って、第１コンテンツ再生装置からのコンテンツデータは、第１接続部、第１スイッチ、コントローラを介して出力部から出力される。コンピュータからのコンテンツファイルを第１コンテンツ再生装置に転送し記録させる場合、第１スイッチが第１接続部とハブとを接続させる。従って、コンピュータからのコンテンツファイルは、第３接続部、ハブ、第１スイッチ、第１接続部を介して第１コンテンツ再生装置に転送され記録される。第２コンテンツ再生装置再生状態の場合、第２スイッチが第２接続部とコントローラとを接続させる。従って、第２コンテンツ再生装置からのコンテンツデータは、第２接続部、第２スイッチ、コントローラを介して出力部から出力される。コンピュータからのコンテンツファイルを第２コンテンツ再生装置に転送し記録させる場合、第２スイッチが第２接続部とハブとを接続させる。従って、コンピュータからのコンテンツファイルは、第３接続部、ハブ、第２スイッチ、第２接続部を介して第２コンテンツ再生装置に転送され記録される。このように、ユーザの作業によって複数の機器を接続および接続解除する必要がない。
【００２３】
好ましい実施形態においては、コンテンツデータを出力する出力部をさらに備え、前記第１コンテンツ再生装置からのコンテンツデータを受信し前記出力部から出力する場合、前記スイッチ制御部が、前記第１スイッチに前記第１接続部と前記第３スイッチとを接続させ、かつ、前記第３スイッチに前記第１スイッチと前記第１コントローラとを接続させ、前記コンピュータからのコンテンツファイルを前記第１コンテンツ再生装置に転送し記録させる場合、前記スイッチ制御部が、前記第１スイッチに前記第１接続部と前記ハブとを接続させ、前記第２コンテンツ再生装置からのコンテンツデータを受信し前記出力部から出力する場合、前記スイッチ制御部が、前記第２スイッチに前記第２接続部と前記第３スイッチとを接続させ、かつ、前記第３スイッチに前記第２スイッチと前記第１コントローラとを接続させ、前記コンピュータからのコンテンツファイルを前記第２コンテンツ再生装置に転送し記録させる場合、前記スイッチ制御部が、前記第２スイッチに前記第２接続部と前記ハブとを接続させる。
【００２４】
第１コンテンツ再生装置再生状態の場合、第１スイッチが第１接続部と第３スイッチとを接続し、第３スイッチが第１スイッチとコントローラとを接続する。従って、第１コンテンツ再生装置からのコンテンツデータは、第１接続部、第１スイッチ、第３スイッチ、コントローラを介して出力部から出力される。コンピュータからのコンテンツファイルを第１コンテンツ再生装置に転送し記録させる場合、第１スイッチが第１接続部とハブとを接続させる。従って、コンピュータからのコンテンツファイルは、第３接続部、ハブ、第１スイッチ、第１接続部を介して第１コンテンツ再生装置に転送され記録される。第２コンテンツ再生装置再生状態の場合、第２スイッチが第２接続部と第３スイッチとを接続し、第３スイッチが第２スイッチとコントローラとを接続する。従って、第２コンテンツ再生装置からのコンテンツデータは、第２接続部、第２スイッチ、第３スイッチ、コントローラを介して出力部から出力される。コンピュータからのコンテンツファイルを第２コンテンツ再生装置に転送し記録させる場合、第２スイッチが第２接続部とハブとを接続させる。従って、コンピュータからのコンテンツファイルは、第３接続部、ハブ、第２スイッチ、第２接続部を介して第２コンテンツ再生装置に転送され記録される。このように、ユーザの作業によって複数の機器を接続および接続解除する必要がない。
【発明の効果】
【００２５】
コンテンツ再生装置がコンピュータのホストコントローラと通信できない場合でも、コンテンツ再生装置を充電することができるコンテンツ再生装置のクレードルを提供することができる。また、ホストコントローラと通信している際のみに充電可能な２つのコンテンツ再生装置をクレードルに接続可能とした場合、２つのコンテンツ再生装置を充電させることができるクレードルを提供することができる。
【図面の簡単な説明】
【００２６】
【図１】本発明のクレードル１等を示すブロック図である。
【図２】クレードル１等のハードウェアを示すブロック図である。
【図３】クレードル１の外観図である。
【図４】増幅装置５のハードウェアを示すブロック図である。
【図５】表示部５Ｄの表示内容を示す図である。
【図６】マイコン１Ａの処理を示すフローチャートである。
【図７】マイコン１Ａの処理を示すフローチャートである。
【図８】マイコン１Ａの処理を示すフローチャートである。
【図９】マイコン１Ａの処理を示すフローチャートである。
【図１０】マイコン５Ａの処理を示すフローチャートである。
【図１１】マイコン５Ａの処理を示すフローチャートである。
【図１２】マイコン１Ａの処理を示すフローチャートである。
【図１３】マイコン１Ａの処理を示すフローチャートである。
【図１４】マイコン１Ａの処理を示すフローチャートである。
【図１５】マイコン１Ａの処理を示すフローチャートである。
【図１６】マイコン１Ａの処理を示すフローチャートである。
【図１７】マイコン１Ａの処理を示すフローチャートである。
【図１８】マイコン１Ａの処理を示すフローチャートである。
【図１９】マイコン１Ａの処理を示すフローチャートである。
【図２０】マイコン１Ａの処理を示すフローチャートである。
【図２１】マイコン１Ａの処理を示すフローチャートである。
【図２２】マイコン１Ａの処理を示すフローチャートである。
【図２３】マイコン１Ａの処理を示すフローチャートである。
【図２４】マイコン１Ａの処理を示すフローチャートである。
【図２５】クレードル１０１等のハードウェアを示すブロック図である。
【図２６】クレードル２０１等のハードウェアを示すブロック図である。
【図２７】クレードル３０１等のハードウェアを示すブロック図である。
【図２８】クレードル４０１等のハードウェアを示すブロック図である。
【図２９】増幅装置１０５等のハードウェアを示すブロック図である。
【発明を実施するための形態】
【００２７】
以下、本発明の好ましい実施形態について、図面を参照して具体的に説明するが、本発明はこれらの実施形態には限定されない。図１は、本実施形態によるクレードル１、携帯型コンテンツ再生装置（以下、ＤＡＰ(Digital Audio Player)という。）２，３、コンピュータ（以下ＰＣとする）４、増幅装置５、およびリモコン送信機６，７を示す図である。クレードル１には、ＵＳＢ（Universal Serial Bus）等の任意の通信ラインを介してＤＡＰ２，３およびＰＣ４が接続可能である。なお、ＵＳＢの代わりにＩＥＥＥ１３９４やＨＤＭＩ等が採用されてもよい。クレードル１は、デジタルオーディオケーブル及び制御信号ケーブルを介して増幅装置５に接続可能である。また、３つ以上のＤＡＰがクレードル１に接続可能でもよい。
【００２８】
クレードル１は、ＤＡＰ２，３に直流電源電圧を供給することにより、ＤＡＰ２，３にバッテリを充電させる。ＤＡＰ２，３は、ホストコントローラと通信しているときに（例えば、ホストコントローラからＵＳＢを介して充電コマンドを所定時間間隔で受信しているときに）バッテリに充電を実行し、ホストコントローラと通信していないときに（例えば、ホストコントローラからＵＳＢを介して充電コマンドを所定時間間隔で受信していないときに）バッテリに充電を実行しない。従って、クレードル１は、ＤＡＰ２，３を継続的に充電するために、ホストコントローラからＤＡＰ２，３に充電コマンドを所定時間間隔で送信し続けなければならない。
【００２９】
ＤＡＰ２，３およびＰＣ４は、各々が内蔵するＨＤＤやフラッシュメモリ等の記録媒体に記録されたオーディオファイルを再生（例えばデコード）し、オーディオデータをＵＳＢ経由でクレードル１に送信する。クレードル１は、ＤＡＰ２，３またはＰＣ４から受信したオーディオデータを増幅装置５に送信する。増幅装置５はクレードル１から受信したオーディオデータを再生（例えば、ＤＡ変換および増幅）し、外部に接続された図示しないスピーカーから音声を出力する。ＰＣ４は、自身のＨＤＤに記録されているオーディオファイルをクレードル１に転送し、クレードル１はＰＣ４からのオーディオファイルをＤＡＰ２又は３に転送し、ＤＡＰ２又は３は転送されたオーディオファイルを自身のＨＤＤに記録する（この処理を一般的に同期（シンク）と呼ぶ）。
【００３０】
増幅装置５は、ユーザ操作に応じてリモコン送信機６からリモコン信号を受信すると、クレードル１に制御信号（例えば、ＤＡＰ２又は３を再生開始させる制御信号）を送信する。クレードル１は、増幅装置５から制御信号を受信すると、ＤＡＰ２又は３を制御する制御信号に変換し、ＤＡＰ２又は３に送信し、ＤＡＰ２又は３を制御する。クレードル１は、ユーザ操作に応じて、リモコン送信機７からリモコン信号を受信する、又は、クレードル１に設けられた操作部が操作されると、制御信号をＤＡＰ２又は３に送信し、ＤＡＰ２又は３を制御する。
【００３１】
図２は、クレードル１等のハードウェアを示す概略ブロック図である。図３は、クレードル１の外観図である。クレードル１は、マイコン（スイッチ制御部）１Ａと、ホストコントローラ１Ｂと、ＵＳＢハブ（以下、ハブという。）１Ｃと、オーディオ処理部１Ｄと、スイッチ１Ｅ〜１Ｈと、電源部１Ｉと、リモコン受信部１Ｊと、操作部１Ｋと、コネクタ（第１接続部）１Ｌと、コネクタ（第２接続部）１Ｍと、ＵＳＢ端子（第３接続部）１Ｎと、デジタルオーディオ出力端子（以下、出力端子という。）１Ｏと、制御信号入出力端子１Ｐとを備える。
【００３２】
マイコン１Ａは、図示しないメモリに格納されたプログラムに基づいてクレードル１全体を制御する。マイコン１Ａは、操作部１Ｋのユーザ操作、リモコン受信部１Ｊに入力されるリモコン信号、増幅装置５から受信する制御信号、および、ＤＡＰ２，３およびＰＣ４の接続状態等に応じて、スイッチ１Ｅ〜１Ｈを切り換え制御する。マイコン１Ａは、ＰＣ４からＵＳＢ経由でＶＢＵＳ(５Ｖ直流電圧)が供給される。マイコン１Ａは、ＶＢＵＳの供給有無を判断する。ＶＢＵＳが供給されていれば、ＰＣ４がＵＳＢ端子１Ｎに接続され、かつ、ＰＣ４が電源オン状態であることが判断される。ＶＢＵＳが供給されていなければ、ＰＣ４がＵＳＢ端子１Ｎに接続されていない、または、ＰＣ４が電源オフ状態であることが判断される。
【００３３】
マイコン１Ａは、ＤＡＰ２からコネクタ１Ｌを介して、接続検出信号が供給される。例えば、接続検出信号がローレベルであれば、ＤＡＰ２がコネクタ１Ｌに接続されていることが判断され、ハイレベルであれば、ＤＡＰ２がコネクタ１Ｌに接続されていないことが判断される。
【００３４】
マイコン１Ａは、ＤＡＰ３からコネクタ１Ｍを介して、接続検出信号が供給される。例えば、接続検出信号がローレベルであれば、ＤＡＰ３がコネクタ１Ｍに接続されていることが判断され、ハイレベルであれば、ＤＡＰ３がコネクタ１Ｍに接続されていないことが判断される。
【００３５】
ホストコントローラ１Ｂは、ＵＳＢ経由でＤＡＰ２と通信し、ＤＡＰ２を制御する。ホストコントローラ１Ｂは、ＤＡＰ２に充電コマンドを所定時間間隔で送信し、ＤＡＰ２にバッテリを充電させる。従って、ＰＣ４がＵＳＢ端子１Ｎに接続されていない、又は、ＰＣ４が電源オフ状態である、又は、ＤＡＰ２からのオーディオデータを増幅装置５に送信するためにスイッチ１Ｅ，１Ｇがコネクタ１Ｌとホストコントローラ１Ｂとを接続している等の理由で、ＰＣ４のホストコントローラ４ＡがＤＡＰ２に充電コマンドを送信できない場合に、ホストコントローラ１ＢがＤＡＰ２に充電コマンドを送信することにより、ＤＡＰ２を充電させることができる。
【００３６】
ホストコントローラ１Ｂは、ＵＳＢ経由でＤＡＰ３と通信し、ＤＡＰ３を制御する。ホストコントローラ１Ｂは、ＤＡＰ３に充電コマンドを所定時間間隔で送信し、ＤＡＰ３にバッテリを充電させる。従って、ＰＣ４がＵＳＢ端子１Ｎに接続されていない、又は、ＰＣ４が電源オフ状態である、又は、ＤＡＰ３からのオーディオデータを増幅装置５に送信するためにスイッチ１Ｆ，１Ｇがコネクタ１Ｍとホストコントローラ１Ｂとを接続している等の理由で、ＰＣ４のホストコントローラ４ＡがＤＡＰ３に充電コマンドを送信できない場合に、ホストコントローラ１ＢがＤＡＰ３に充電コマンドを送信することにより、ＤＡＰ３を充電させることができる。
【００３７】
ホストコントローラ１Ｂは、スイッチ１Ｇ、１Ｈと、マイコン１Ａとに接続されている。ホストコントローラ１Ｂは、マイコン１Ａからの制御信号をＤＡＰ２に送信し、ＤＡＰ２を制御する。ホストコントローラ１Ｂは、ＤＡＰ２からオーディオデータを受信し、スイッチ１Ｈに供給する。また、ホストコントローラ１Ｂは、マイコン１Ａからの制御信号をＤＡＰ３に送信し、ＤＡＰ３を制御する。ホストコントローラ１Ｂは、ＤＡＰ３からオーディオデータを受信し、スイッチ１Ｈに供給する。なお、本発明の構成には必須ではないが、実際の製品の場合には、ホストコントローラ１Ｂとスイッチ１Ｈとの間には、ホストコントローラ１ＢからのオーディオデータをＳＰＤＩＦ形式に変換するデジタルオーディオ送信部が設けられるとよい。
【００３８】
ハブ１Ｃは、ホスト側（上流側）であるＰＣ４に、ＵＳＢを介してスレーブ側（下流側）であるＤＡＰ２（または３）、および、オーディオ処理部１Ｄを並列に接続させる。つまり、ハブ１Ｃは、ＰＣ４がＵＳＢを介して接続可能な上流側のＵＳＢ端子１Ｎに、ＤＡＰ２がＵＳＢを介して接続可能な下流側のコネクタ１Ｌ（または、ＤＡＰ３がＵＳＢを介して接続可能な下流側のコネクタ１Ｍ）と、下流側のＵＳＢデバイスであるオーディオ処理部１Ｄとをクレードル１内部で接続している。ハブ１Ｃは、スイッチ１Ｅ、１Ｆと、ＵＳＢ端子１Ｎと、オーディオ処理部１Ｄとに接続されている。
【００３９】
ハブ１Ｃは、一般的な機能として、ホスト側およびスレーブ側にＵＳＢデバイスが接続され、ホスト側のＵＳＢデバイスとスレーブ側のＵＳＢデバイスとが通信可能か否かを検出する機能を有している。
【００４０】
マイコン１Ａは、ハブ１ＣにＤＡＰ２及び／又はＰＣ４が接続されていないことを判断すると、スイッチ１Ｅ、１Ｇにコネクタ１Ｌとホストコントローラ１Ｂとを接続させてもよい。この場合、ＰＣ４が電源オフ状態、又は、ＰＣ４が接続されていない等の理由で、ホストコントローラ４ＡからＤＡＰ２に充電コマンドを送信できない場合には、ホストコントローラ１ＢをＤＡＰ２に接続させ、ホストコントローラ１ＢからＤＡＰ２に充電コマンドを送信させることにより、ＤＡＰ２を充電させることができる。あるいは、マイコン１Ａは、ハブ１ＣにＤＡＰ３及び／又はＰＣ４が接続されていないことを判断すると、スイッチ１Ｆ、１Ｇにコネクタ１Ｍとホストコントローラ１Ｂとを接続させてもよい。この場合、ＰＣ４が電源オフ状態、又は、ＰＣ４が接続されていない等の理由で、ホストコントローラ４ＡからＤＡＰ３に充電コマンドを送信できない場合には、ホストコントローラ１ＢをＤＡＰ３に接続させ、ホストコントローラ１ＢからＤＡＰ３に充電コマンドを送信させることにより、ＤＡＰ３を充電させることができる。
【００４１】
オーディオ処理部１Ｄは、ハブ１Ｃに対する下流側デバイスである。オーディオ処理部１Ｄは、ＰＣ４からのオーディオデータがハブ１Ｃを介して供給され、オーディオデータを所定の形式（例えばＳＰＤＩＦ）に変換し、スイッチ１Ｈに供給する。オーディオ処理部１Ｄは、ＵＳＢオーディオＤＡＣ等が採用され、ハブ１Ｃとスイッチ１Ｈとの間に接続されている。ハブ１Ｃにはオーディオ処理部１Ｄが常時接続された状態であるので、ハブ１Ｃに接続されているＰＣ４は、オーディオ処理部１Ｄを常時認識している。従って、ＤＡＰ２または３からのオーディオデータを増幅装置５に出力する状態から、ＰＣ４からのオーディオデータを増幅装置５に出力する状態に切り換えられた際に、ＰＣ４が改めてオーディオ処理部１Ｄを認識し直す必要がなく、直ぐにＰＣ４からのオーディオデータを増幅装置５に出力することができる。
【００４２】
スイッチ１Ｅは、コネクタ１Ｌとスイッチ１Ｇ（すなわち、ホストコントローラ１Ｂ）とを接続させるか、又は、コネクタ１Ｌとハブ１Ｃとを接続させるかをマイコン１Ａからの指示に基づいて切り換える。スイッチ１Ｆは、コネクタ１Ｍとスイッチ１Ｇ（すなわち、ホストコントローラ１Ｂ）とを接続させるか、又は、コネクタ１Ｍとハブ１Ｃとを接続させるかをマイコン１Ａからの指示に基づいて切り換える。スイッチ１Ｇは、スイッチ１Ｅ（すなわち、コネクタ１Ｌ）とホストコントローラ１Ｂとを接続させるか、又は、スイッチ１Ｆ（すなわち、コネクタ１Ｍ）とホストコントローラ１Ｂとを接続させるかをマイコン１Ａからの指示に基づいて切り換える。スイッチ１Ｈは、出力端子１Ｏとホストコントローラ１Ｂとを接続させるか、又は、出力端子１Ｏとオーディオ処理部１Ｄとを接続させるかをマイコン１Ａからの指示に基づいて切り換える。各スイッチは、例えば、ＵＳＢ２．０対応高速バススイッチ等が採用される。
【００４３】
電源部１Ｉは、図３に示す電源コネクタから商用交流電源が供給され、商用交流電源から直流電源電圧を生成し、クレードル１の各部に供給し、かつ、コネクタ１Ｌを介してＤＡＰ２に供給する。ＤＡＰ２に供給された直流電源電圧は、ＤＡＰ２がバッテリを充電するために使用される。また、電源部１Ｉは、直流電源電圧を、コネクタ１Ｍを介してＤＡＰ３に供給する（図示せず）。ＤＡＰ３に供給された直流電源電圧は、ＤＡＰ３がバッテリを充電するために使用される。
【００４４】
リモコン受信部１Ｊは、クレードル１用のリモコン送信機７からリモコン信号を受信し、マイコン１Ａに制御信号を供給する。
【００４５】
操作部１Ｋは、ユーザ操作に基づく指示を受け付けるものである。操作部１Ｋは、オーディオセレクタスイッチであるＤＡＰ２ボタン、ＤＡＰ３ボタン、及び、ＰＣボタンと、ＲＥＣ（ＤＡＰ２）ボタンと、ＲＥＣ（ＤＡＰ３）ボタンと、電源ボタンとを含む。ＤＡＰ２ボタンは、クレードル１がＤＡＰ２からのオーディオデータを受信し、出力端子１Ｏから増幅装置５へと出力する状態（以下、ＤＡＰ２再生状態という。）に切り換えるためのボタンである。ＤＡＰ３ボタンは、クレードル１がＤＡＰ３からのオーディオデータを受信し、出力端子１Ｏから増幅装置５へと出力する状態（以下、ＤＡＰ３再生状態という。）に切り換えるためのボタンである。ＰＣボタンは、クレードル１がＰＣ４からのオーディオデータを受信し、出力端子１Ｏから増幅装置５へと出力する状態（以下、ＰＣ再生状態という。）に切り換えるためのボタンである。ＲＥＣ（ＤＡＰ２）ボタンは、クレードル１がＰＣ４からのオーディオファイルを受信しＤＡＰ２に転送し、ＤＡＰ２にオーディオファイルを記録させる状態（以下、ＤＡＰ２記録動作状態という。）に切り換えるためのボタンである。また、ＲＥＣ（ＤＡＰ２）ボタンは、ＤＡＰ２記録動作状態を解除するためのボタンでもある。ＲＥＣ（ＤＡＰ３）ボタンは、クレードル１がＰＣ４からのオーディオファイルを受信しＤＡＰ３に転送し、ＤＡＰ３にオーディオファイルを記録させる状態（以下、ＤＡＰ３記録動作状態という。）に切り換えるためのボタンである。また、ＲＥＣ（ＤＡＰ３）ボタンは、ＤＡＰ３記録動作状態を解除するためのボタンでもある。電源ボタンは、クレードル１を電源オン状態またはスタンバイ状態に切り換えるボタンである。これらのボタンはリモコン送信機７にも同様に設けられている。
【００４６】
なお、本実施形態においては、後述するように、ＤＡＰ２再生状態とＤＡＰ３記録動作状態とを同時に実行することができ、ＤＡＰ３再生状態とＤＡＰ２記録動作状態とを同時に実行することができる。また、ＤＡＰ２記録動作状態またはＤＡＰ３記録動作状態と、ＰＣ再生状態とを同時に実行することができる。
【００４７】
コネクタ１Ｌは、ＤＡＰ２のコネクタと接続可能である。コネクタ１Ｌは、ＵＳＢ端子（データラインＤ＋，Ｄ−及び５Ｖ電源ラインの各端子）、及び、ＤＡＰ２から接続検出信号を受信する端子を含む。コネクタ１Ｌは、マイコン１Ａ、スイッチ１Ｅおよび電源部１Ｉに接続されている。
【００４８】
コネクタ１Ｍは、ＤＡＰ３のコネクタと接続可能である。コネクタ１Ｍは、ＵＳＢ端子（データラインＤ＋，Ｄ−及び５Ｖ電源ラインの各端子）、及び、ＤＡＰ３から接続検出信号を受信する端子を含む。コネクタ１Ｍは、マイコン１Ａ、スイッチ１Ｆおよび電源部１Ｉに接続されている。
【００４９】
ＵＳＢ端子１Ｎは、ＵＳＢを介してＰＣ４が接続可能である。ＵＳＢ端子１Ｎは、ハブ１Ｃに接続されている。出力端子１Ｏは、スイッチ１Ｈに接続されており、増幅装置５のデジタルオーディオ入力端子が接続可能である。出力端子１Ｏは、スイッチ１Ｈから供給されるオーディオデータを増幅装置５に出力する。
【００５０】
制御信号入出力端子１Ｐは、マイコン１Ａに接続されており、増幅装置５に制御信号ラインを介して接続可能である。増幅装置５は、増幅装置５用のリモコン送信機６からのリモコン信号を受信すると、制御信号を制御信号入出力端子１Ｐに送信する。制御信号入出力端子１Ｐは、増幅装置５からの制御信号を受信し、マイコン１Ａに供給する。例えば、増幅装置５からＤＡＰ２を再生開始する制御信号が制御信号入出力端子１Ｐに入力されると、マイコン１Ａは、ＤＡＰ２に再生指示を送信すると共に、ＤＡＰ２再生状態に切り換える。増幅装置５からＤＡＰ３を再生開始する制御信号が制御信号入出力端子１Ｐに入力されると、マイコン１Ａは、ＤＡＰ３に再生指示を送信すると共に、ＤＡＰ３再生状態に切り換える。
【００５１】
マイコン１Ａは、制御信号入出力端子１Ｐを介して、増幅装置５に制御信号を送信する。例えば、マイコン１Ａは、クレードル１がＤＡＰ２再生状態であるか、ＤＡＰ３再生状態であるか、又は、ＰＣ再生状態であるかの再生状態情報を、制御信号入出力端子１Ｐを介して増幅装置５に送信する。増幅装置５の表示部にクレードル１がＤＡＰ２再生状態であるか、ＤＡＰ３再生状態であるか、又は、ＰＣ再生状態であるかを表示させるためである。
【００５２】
ＤＡＰ２は、ＨＤＤ２Ａおよび再生部２Ｂ等を備える。再生部２Ｂは、ＨＤＤに記録されたオーディオファイルを再生し、クレードル１にオーディオデータを出力する。ＤＡＰ３は、ＨＤＤ３Ａおよび再生部３Ｂ等を備える。再生部３Ｂは、ＨＤＤに記録されたオーディオファイルを再生し、クレードル１にオーディオデータを出力する。ＰＣ４は、ホストコントローラ４ＡおよびＨＤＤ４Ｂ等を備える。ＤＡＰ２、３およびＰＣ４自体は一般的なものが採用されるとよい。
【００５３】
図４は、増幅装置５を示すブロック図である。増幅装置５は、マイコン５Ａと、セレクタ５Ｂと、増幅部５Ｃと、表示部５Ｄと、リモコン受信部５Ｅと、操作部５Ｆと、デジタルオーディオ入力端子（以下、入力端子という。）５Ｇ〜５Ｉ（なお、入力端子５Ｈ、５Ｉはアナログオーディオ入力端子でもよい。）と、制御信号入出力端子５Ｊと、メモリ（ＲＯＭ、ＲＡＭ等）５Ｋとを備える。入力端子５Ｇにはクレードル１の出力端子１Ｏが接続され、クレードル１からオーディオデータを受信し、セレクタ５Ｂに供給する。入力端子５Ｈ、５Ｉには任意のソース機器（例えば、ＣＤプレーヤ、ＭＤプレーヤ等）が接続可能である。
【００５４】
マイコン５Ａは、メモリ５Ｋに格納されたプログラムに基づいて動作し、リモコン受信部５Ｅ又は操作部５Ｆを介してユーザ操作によって入力される指示に基づいて増幅装置５の各部を制御する。マイコン５Ａは、制御信号入出力端子５Ｊを介してクレードル１のマイコン１Ａに制御信号を送信する。例えば、ユーザのリモコン操作によってＤＡＰ２再生指示が入力されたとき、マイコン５Ａは、ＤＡＰ２再生指示を制御信号入出力端子５Ｊを介してクレードル１のマイコン１Ａに送信する。同様に、ＤＡＰ３再生指示が入力されたとき、マイコン５Ａは、ＤＡＰ３再生指示を制御信号入出力端子５Ｊを介してクレードル１のマイコン１Ａに送信する。マイコン５Ａは、クレードル１のマイコン１Ａからの制御信号を制御信号入出力端子５Ｊを介して入力する。
【００５５】
セレクタ５Ｂは、マイコン５Ａからの指示に応じて、入力端子５Ｇ〜５Ｉの１つを選択し、選択した入力端子から入力されるオーディオデータを増幅部５Ｃに供給する。セレクタ５Ｂの選択状態として、入力端子５Ｇを選択するＤＡＰ／ＰＣ選択状態、入力端子５Ｈを選択するＣＤ選択状態、入力端子５Ｉを選択するＭＤ選択状態等が存在する。マイコン５Ａは、セレクタ５ＢがＣＤ選択状態のとき表示部５Ｄに「ＣＤ」と表示し、セレクタ５ＢがＭＤ選択状態のとき表示部５Ｄに「ＭＤ」と表示する。マイコン５Ａは、クレードル１のマイコン１Ａからクレードル１がＤＡＰ２再生状態であるか、ＤＡＰ３再生状態であるか、又は、ＰＣ再生状態であるかの情報を制御信号入出力端子５Ｊを介して取得する。セレクタ５ＢがＤＡＰ／ＰＣ選択状態である場合、マイコン５Ａは、クレードル１がＤＡＰ２再生状態であれば、図５（ａ）に示すように表示部５Ｄに「ＤＡＰ２」と表示し、クレードル１がＤＡＰ３再生状態であれば、図５（ｂ）に示すように表示部５Ｄに「ＤＡＰ３」と表示し、クレードル１がＰＣ再生状態であれば、図５（ｃ）に示すように表示部５Ｄに「ＰＣ」と表示する。従って、ユーザは、増幅装置５がＤＡＰ２からのオーディオデータを再生しているか、ＤＡＰ３からのオーディオデータを再生しているか、又は、ＰＣ４からのオーディオデータを再生しているかを、表示部５Ｄの表示内容を見ることによって判断することができる。
【００５６】
増幅部５Ｃは、セレクタ５Ｂから供給されたオーディオデータをデジタル−アナログ変換し、増幅し、外部接続されたスピーカーに音声を出力する。
【００５７】
以下、クレードル１の動作を説明する。図６は、ＤＡＰ２再生状態と、ＤＡＰ３再生状態と、ＰＣ再生状態とを切り換えるマイコン１Ａの初期動作を示す。マイコン１Ａは、スイッチ１Ｅにコネクタ１Ｌとスイッチ１Ｇとを接続させ、スイッチ１Ｇにスイッチ１Ｅとホストコントローラ１Ｂとを接続させ、スイッチ１Ｈにホストコントローラ１Ｂと出力端子１Ｏとを接続させる。つまり、マイコン１Ａは、初期状態として、ＤＡＰ２再生状態に設定する。従って、ＤＡＰ２からのオーディオデータをスイッチ１Ｅ、１Ｇ、ホストコントローラ１Ｂ、スイッチ１Ｈを介して増幅装置５に出力することができる。この場合、ＰＣ４が接続されていない又は電源オフ状態である場合でも、ホストコントローラ１ＢからＤＡＰ２に充電コマンドが送信され、ＤＡＰ２を充電させることができる。なお、マイコン１Ａは、増幅装置５のマイコン５ＡにクレードルがＤＡＰ２再生状態であることを通知する。
【００５８】
Ｓ２〜Ｓ７では、ＤＡＰ２、３およびＰＣ４のクレードル１への接続状態に応じてマイコン１Ａがスイッチを切り換える。この処理は、ＤＡＰ２、３、ＰＣ４がクレードル１に接続されるときに実行されるが、この処理を実行しないようにユーザ操作によって設定することができる。マイコン１Ａは、コネクタ１ＬにＤＡＰ２から接続検出信号が供給されていない状態から、供給されている状態に変更されたか否かを判断することにより、ＤＡＰ２がコネクタ１Ｌに接続されたか否かを判断する（Ｓ２）。ＤＡＰ２が接続されたと判断されると（Ｓ２でＹＥＳ）、マイコン１Ａは、スイッチ１Ｅにコネクタ１Ｌとスイッチ１Ｇとを接続させ、スイッチ１Ｇにスイッチ１Ｅとホストコントローラ１Ｂとを接続させ、スイッチ１Ｈにホストコントローラ１Ｂと出力端子１Ｏとを接続させる。つまり、マイコン１Ａは、ＤＡＰ２再生状態に設定する（Ｓ３）。必要に応じて、マイコン１Ａは、ホストコントローラ１Ｂを介して、ＤＡＰ２に再生コマンドを送信し、ＤＡＰ２にオーディオファイルを再生開始させる。従って、ＤＡＰ２からのオーディオデータがスイッチ１Ｅ、１Ｇ、ホストコントローラ１Ｂ、スイッチ１Ｈを介して増幅装置５に出力される。この場合、ホストコントローラ１ＢからＤＡＰ２に充電コマンドが送信され、ＤＡＰ２を充電させることができる。なお、マイコン１Ａは、増幅装置５のマイコン５ＡにクレードルがＤＡＰ２再生状態であることを通知する。
【００５９】
ＤＡＰ２が接続されていない場合（Ｓ２でＮＯ）、マイコン１Ａは、コネクタ１ＭにＤＡＰ３から接続検出信号が供給されていない状態から、供給されている状態に変更されたか否かを判断することにより、ＤＡＰ３がコネクタ１Ｍに接続さたか否かを判断する（Ｓ４）。ＤＡＰ３が接続されたと判断された場合（Ｓ４でＹＥＳ）、マイコン１Ａは、スイッチ１Ｆにコネクタ１Ｍとスイッチ１Ｇとを接続させ、スイッチ１Ｇにスイッチ１Ｆとホストコントローラ１Ｂとを接続させ、スイッチ１Ｈにホストコントローラ１Ｂと出力端子１Ｏとを接続させる。つまり、マイコン１Ａは、ＤＡＰ３再生状態に設定する（Ｓ５）。必要に応じて、マイコン１Ａは、ホストコントローラ１Ｂを介して、ＤＡＰ３に再生コマンドを送信し、ＤＡＰ３にオーディオファイルを再生開始させる。従って、ＤＡＰ３からのオーディオデータがスイッチ１Ｆ、１Ｇ、ホストコントローラ１Ｂ、スイッチ１Ｈを介して増幅装置５に出力される。この場合、ホストコントローラ１ＢからＤＡＰ３に充電コマンドが送信され、ＤＡＰ３を充電させることができる。なお、マイコン１Ａは、増幅装置５のマイコン５ＡにクレードルがＤＡＰ３再生状態であることを通知する。
【００６０】
ＤＡＰ３が接続されていない場合（Ｓ４でＮＯ）、マイコン１Ａは、ＰＣ４からＶＢＵＳが供給されていない状態から、供給されている状態に変更されたか否かを判断することにより、ＰＣ４がＵＳＢ端子１Ｎに接続され、かつ、ＰＣ４が電源オン状態になったかを判断する（Ｓ６）。ＰＣ４が接続され、かつ、電源オン状態になったと判断された場合（Ｓ６でＹＥＳ）、マイコン１Ａは、スイッチ１Ｈにオーディオ処理部１Ｄと出力端子１Ｏとを接続させる。つまり、マイコン１Ａは、ＰＣ再生状態に設定する（Ｓ７）。なお、マイコン１Ａは、増幅装置５のマイコン５ＡにクレードルがＰＣ再生状態であることを通知する。ＰＣ４からのオーディオデータがハブ１Ｃ、オーディオ処理部１Ｄ、スイッチ１Ｈを介して増幅装置５に出力される。さらに、必要に応じて、マイコン１Ａは、スイッチ１Ｅにコネクタ１Ｌとホストコントローラ１Ｂとを接続させる。この場合、ホストコントローラ１ＢからＤＡＰ２に充電コマンドが送信され、ＤＡＰ２を充電させることができる。そして、スイッチ１Ｆにコネクタ１Ｍとハブ１Ｃとを接続させる。この場合、ＰＣ４のホストコントローラ４ＡからＤＡＰ３に充電コマンドが送信され、ＤＡＰ３も充電させることができる。一方、ＰＣ４が接続されていない、又は、ＰＣ４が電源オフ状態である場合（Ｓ４でＮＯ）、スイッチを切り換えずに処理を終了する。
【００６１】
図７は、ＤＡＰ２再生状態に移行する指示、ＤＡＰ３再生状態に移行する指示およびＰＣ再生状態に移行する指示に応じてマイコン１Ａがスイッチを切り換える処理を示す。マイコン１Ａは、ＤＡＰ２再生状態に移行する指示が入力されたか否かを判断している（Ｓ１１）。例えば、ＤＡＰ２ボタンが操作されたか否か、又は、増幅装置５のマイコン５ＡからＤＡＰ２再生状態に移行する指示が入力されたか否かが判断される。ＤＡＰ２再生状態に移行する指示が入力されていない場合（Ｓ１１でＮＯ）、処理はＳ１５に進む。ＤＡＰ２再生状態に移行する指示が入力された場合（Ｓ１１でＹＥＳ）、マイコン１Ａは、上記と同様に、ＤＡＰ２がコネクタ１Ｌに接続されているか否かを判断する（Ｓ１２）。ＤＡＰ２が接続されている場合（Ｓ１２でＹＥＳ）、マイコン１Ａは、スイッチ１Ｅにコネクタ１Ｌとスイッチ１Ｇとを接続させ、スイッチ１Ｇにスイッチ１Ｅとホストコントローラ１Ｂとを接続させ、スイッチ１Ｈにホストコントローラ１Ｂと出力端子１Ｏとを接続させる。つまり、マイコン１Ａは、ＤＡＰ２再生状態に切り換える（Ｓ１３）。必要に応じて、マイコン１Ａは、ホストコントローラ１Ｂを介して、ＤＡＰ２に再生コマンドを送信し、ＤＡＰ２にオーディオファイルを再生開始させる。なお、マイコン１Ａは、増幅装置５のマイコン５ＡにクレードルがＤＡＰ２再生状態であることを通知する。従って、ＤＡＰ２からのオーディオデータがスイッチ１Ｅ、１Ｇ、ホストコントローラ１Ｂ、スイッチ１Ｈを介して増幅装置５に出力される。その後、処理はＳ１５に進む。この場合、ホストコントローラ１ＢからＤＡＰ２に充電コマンドが送信され、ＤＡＰ２を充電させることができる。また、必須ではないが、このとき、スイッチ１Ｆにコネクタ１Ｍとハブ１Ｃとを接続させることにより、ＰＣ４のホストコントローラ４Ａから充電コマンドがＤＡＰ３に送信され、ＤＡＰ３を充電させることができる。一方、ＤＡＰ２が接続されていない場合（Ｓ１２でＮＯ）、マイコン１Ａは、スイッチを切り換えさせず（ＤＡＰ２再生状態に切り換えず）、図示しないＬＥＤを点滅させることにより、エラーをユーザに告知する（Ｓ１４）。例えば、ＤＡＰ３再生状態またはＰＣ再生状態において、ＤＡＰ２が接続されていないときに、ユーザ誤操作によって、ＤＡＰ２再生状態に移行する指示が入力された場合、ＤＡＰ２再生状態に移行してしまうと、ＤＡＰ３またはＰＣ４からのオーディオデータが増幅装置５に供給されなくなるが、本例ではこのような問題を解決できる。
【００６２】
マイコン１Ａは、ＤＡＰ３再生状態に移行する指示が入力されたか否かを判断している（Ｓ１５）。例えば、ＤＡＰ３ボタンが操作されたか否か、又は、増幅装置５のマイコン５ＡからＤＡＰ３再生状態に移行する指示が入力されたか否かが判断される。ＤＡＰ３再生状態に移行する指示が入力されていない場合（Ｓ１５でＮＯ）、処理はＳ１９に進む。ＤＡＰ３再生状態に移行する指示が入力された場合（Ｓ１５でＹＥＳ）、マイコン１Ａは、上記と同様に、ＤＡＰ３がコネクタ１Ｍに接続されているか否かを判断する（Ｓ１６）。ＤＡＰ３が接続されている場合（Ｓ１６でＹＥＳ）、マイコン１Ａは、スイッチ１Ｆにコネクタ１Ｍとスイッチ１Ｇとを接続させ、スイッチ１Ｇにスイッチ１Ｆとホストコントローラ１Ｂとを接続させ、スイッチ１Ｈにホストコントローラ１Ｂと出力端子１Ｏとを接続させる。つまり、マイコン１Ａは、ＤＡＰ３再生状態に設定する（Ｓ１７）。必要に応じて、マイコン１Ａは、ホストコントローラ１Ｂを介して、ＤＡＰ３に再生コマンドを送信し、ＤＡＰ３にオーディオファイルを再生開始させる。なお、マイコン１Ａは、増幅装置５のマイコン５ＡにクレードルがＤＡＰ３再生状態であることを通知する。従って、ＤＡＰ３からのオーディオデータがスイッチ１Ｆ、１Ｇ、ホストコントローラ１Ｂ、スイッチ１Ｈを介して増幅装置５に出力される。その後、処理はＳ１９に進む。この場合、ホストコントローラ１ＢからＤＡＰ３に充電コマンドが送信され、ＤＡＰ３を充電させることができる。また、必須ではないが、このとき、スイッチ１Ｅにコネクタ１Ｌとハブ１Ｃとを接続させることにより、ＰＣ４のホストコントローラ４Ａから充電コマンドがＤＡＰ２に送信され、ＤＡＰ２を充電させることができる。一方、ＤＡＰ３が接続されていない場合（Ｓ１６でＮＯ）、マイコン１Ａは、スイッチを切り換えさせず（ＤＡＰ３再生状態に切り換えず）、図示しないＬＥＤを点滅させることにより、エラーをユーザに告知する（Ｓ１８）。例えば、ＤＡＰ２再生状態またはＰＣ再生状態において、ＤＡＰ３が接続されていないときに、ユーザ誤操作によって、ＤＡＰ３再生状態に移行する指示が入力された場合、ＤＡＰ３再生状態に移行してしまうと、ＤＡＰ２またはＰＣ４からのオーディオデータが増幅装置５に供給されなくなるが、本例ではこのような問題を解決できる。
【００６３】
マイコン１Ａは、ＰＣ再生状態に移行する指示が入力されたか否かを判断する（Ｓ１９）。例えば、ＰＣボタンが操作されたか否か、又は、増幅装置５のマイコン５ＡからＰＣ再生状態に移行する指示が入力されたか否かが判断される。ＰＣ再生状態に移行する指示が入力されない場合（Ｓ１９でＮＯ）、処理はＳ１１に戻る。ＰＣ再生状態に移行する指示が入力された場合（Ｓ１９でＹＥＳ）、マイコン１Ａは、上記と同様に、ＰＣ４がＵＳＢ端子１Ｎに接続され、かつ、電源オン状態であるか否かを判断する（Ｓ２０）。ＰＣ４が接続され、かつ、電源オン状態である場合（Ｓ２０でＹＥＳ）、マイコン１Ａは、スイッチ１Ｈにオーディオ処理部１Ｄと出力端子１Ｏとを接続させる。つまり、マイコン１Ａは、ＰＣ再生状態に設定する（Ｓ２１）。必要に応じて、マイコン１Ａは、ＰＣ４に再生コマンドを送信し、ＰＣ４にオーディオファイルを再生開始させる。なお、マイコン１Ａは、増幅装置５のマイコン５ＡにクレードルがＰＣ再生状態であることを通知する。従って、ＰＣ４からのオーディオデータがハブ１Ｃ、オーディオ処理部１Ｄ、スイッチ１Ｈを介して増幅装置５に出力される。その後、処理はＳ１１に戻る。また、必須ではないが、このとき、スイッチ１Ｅにコネクタ１Ｌとスイッチ１Ｇとを接続させ、スイッチ１Ｇにスイッチ１Ｅとホストコントローラ１Ｂとを接続させ、スイッチ１Ｆにコネクタ１Ｍとハブ１Ｃとを接続させることにより、ホストコントローラ１ＢからＤＡＰ２に充電コマンドが送信され、ＤＡＰ２を充電させることができ、ＰＣ４のホストコントローラ４ＡからＤＡＰ３に充電コマンドが送信され、ＤＡＰ３を充電させることができる。もしくは、スイッチ１Ｆにコネクタ１Ｍとスイッチ１Ｇとを接続させ、スイッチ１Ｇにスイッチ１Ｆとホストコントローラ１Ｂとを接続させ、スイッチ１Ｅにコネクタ１Ｌとハブ１Ｃとを接続させることにより、ホストコントローラ１ＢからＤＡＰ３に充電コマンドが送信され、ＤＡＰ３を充電させることができ、ＰＣ４のホストコントローラ４ＡからＤＡＰ２に充電コマンドが送信され、ＤＡＰ２を充電させることができる。一方、ＰＣ４が接続されていない、又は、ＰＣ４が電源オフ状態である場合（Ｓ２０でＮＯ）、マイコン１Ａは、スイッチを切り換えさせず（ＰＣ再生状態に切り換えず）、図示しないＬＥＤを点滅させることにより、エラーをユーザに告知する（Ｓ２２）。例えば、ＤＡＰ２再生状態またはＤＡＰ３再生状態において、ＰＣ４が接続されていないときに、ユーザ誤操作によって、ＰＣ再生状態に移行する指示が入力された場合、もしＰＣ再生状態に移行してしまうと、ＤＡＰ２または３からのオーディオデータが増幅装置５に供給されなくなるが、本例ではこのような問題を解決できる。
【００６４】
図８は、ＤＡＰからの再生開始通知に基づくマイコン１Ａの処理を示す。マイコン１Ａは、ＤＡＰ２からの再生開始通知に基づいて、ＤＡＰ２がオーディオデータを再生開始したか否かを判断する（Ｓ３１）。スイッチ１Ｅがコネクタ１Ｌとスイッチ１Ｇとを接続し、スイッチ１Ｇがスイッチ１Ｅとホストコントローラ１Ｂとを接続している場合、ＤＡＰ２が再生開始すると、ホストコントローラ１Ｂは再生開始通知を受信することができるので、これをマイコン１Ａに転送する。または、マイコン１ＡがＤＡＰ２から再生開始通知を直接受信してもよい。ＤＡＰ２が再生開始した場合（Ｓ３１でＹＥＳ）、マイコン１Ａは、スイッチ１Ｅにコネクタ１Ｌとスイッチ１Ｇとを接続させ、スイッチ１Ｇにスイッチ１Ｅとホストコントローラ１Ｂとを接続させ、スイッチ１Ｈにホストコントローラ１Ｂと出力端子１Ｏとを接続させる。つまり、マイコン１Ａは、ＤＡＰ２再生状態に設定する（Ｓ３２）。なお、マイコン１Ａは、増幅装置５のマイコン５ＡにクレードルがＤＡＰ２再生状態であることを通知する。従って、ＤＡＰ２からのオーディオデータがスイッチ１Ｅ、１Ｇ、ホストコントローラ１Ｂ、スイッチ１Ｈを介して増幅装置５に出力される。その後、処理はＳ３３に進む。この場合、ホストコントローラ１ＢからＤＡＰ２に充電コマンドが送信されることにより、ＤＡＰ２を充電させることができる。また、必須ではないが、スイッチ１Ｆにコネクタ１Ｍとハブ１Ｃとを接続させることにより、ＰＣ４のホストコントローラ４Ａから充電コマンドがＤＡＰ３に送信され、ＤＡＰ３を充電させることができる。
【００６５】
マイコン１Ａは、ＤＡＰ３からの再生開始通知に基づいて、ＤＡＰ３がオーディオデータを再生開始したか否かを判断する（Ｓ３３）。スイッチ１Ｆがコネクタ１Ｍとスイッチ１Ｇとを接続し、スイッチ１Ｇがスイッチ１Ｆとホストコントローラ１Ｂとを接続している場合、ＤＡＰ３が再生開始すると、ホストコントローラ１Ｂは再生開始通知を受信することができるので、これをマイコン１Ａに転送する。または、マイコン１ＡがＤＡＰ３から再生開始通知を直接受信してもよい。ＤＡＰ３が再生開始した場合（Ｓ３３でＹＥＳ）、マイコン１Ａは、スイッチ１Ｆにコネクタ１Ｍとスイッチ１Ｇとを接続させ、スイッチ１Ｇにスイッチ１Ｆとホストコントローラ１Ｂとを接続させ、スイッチ１Ｈにホストコントローラ１Ｂと出力端子１Ｏとを接続させる。つまり、マイコン１Ａは、ＤＡＰ３再生状態に設定する（Ｓ３４）。なお、マイコン１Ａは、増幅装置５のマイコン５ＡにクレードルがＤＡＰ３再生状態であることを通知する。従って、ＤＡＰ３からのオーディオデータがスイッチ１Ｆ、１Ｇ、ホストコントローラ１Ｂ、スイッチ１Ｈを介して増幅装置５に出力される。その後、処理はＳ３１に戻る。この場合、ホストコントローラ１ＢからＤＡＰ３に充電コマンドが送信されることにより、ＤＡＰ３を充電させることができる。また、必須ではないが、スイッチ１Ｅにコネクタ１Ｌとハブ１Ｃとを接続させることにより、ＰＣ４のホストコントローラ４Ａから充電コマンドがＤＡＰ２に送信され、ＤＡＰ２を充電させることができる。
【００６６】
以上の処理によって、ユーザの作業によってクレードル１、ＤＡＰ２、ＤＡＰ３、ＰＣ４、増幅装置５の接続／接続解除を実行する必要なく、ＤＡＰ２再生状態、ＤＡＰ３再生状態およびＰＣ再生状態を切り換えることができる。なお、ＤＡＰ２再生状態に移行する指示、ＤＡＰ３再生状態に移行する指示およびＰＣ再生状態に移行する指示は、ボタン操作に限定されず、リモコン送信機７からのリモコン信号又は増幅装置５から供給される制御信号であってもよい。
【００６７】
図９は、クレードル１がスタンバイ状態から電源オン状態に移行する際のマイコン１Ａの動作を示す。マイコン１Ａは、スタンバイ状態から電源オン状態に移行する指示が入力されたか否かを判断している（Ｓ４１）。例えば、クレードル１がスタンバイ状態のときに、電源ボタンが操作されたか否か、又は、増幅装置５のマイコン５Ａから、スタンバイ状態から電源オン状態に移行する指示を受信したか否かを判断する。電源オンする指示が入力された場合（Ｓ４１でＹＥＳ）、マイコン１Ａはクレードル１をスタンバイ状態から電源オン状態に移行させる（Ｓ４２）。その後、マイコン１Ａは、クレードル１がＤＡＰ２再生状態であるか、ＤＡＰ３再生状態であるか、又は、ＰＣ再生状態であるかの情報を、増幅装置５のマイコン５Ａに送信する（Ｓ４３）。このとき、クレードル１はスタンバイ状態の時にも図示しないメモリにクレードル１がＤＡＰ２再生状態であるか、ＤＡＰ３再生状態であるか、又は、ＰＣ再生状態であるかの情報を記憶しているので、クレードル１がスタンバイ状態から電源オン状態になった際に、メモリに記憶しているＤＡＰ２再生状態、ＤＡＰ３再生状態、又は、ＰＣ再生状態に復帰すると共に、クレードル１がＤＡＰ２再生状態であるか、ＤＡＰ３再生状態であるか、又は、ＰＣ再生状態であるかの情報を、増幅装置５のマイコン５Ａに送信する。
【００６８】
図１０、図１１は、増幅装置５のマイコン５Ａの処理を示す。図１０に示すように、マイコン５Ａは、クレードル１のマイコン１Ａから、クレードル１がＤＡＰ２再生状態であるか、ＤＡＰ３再生状態であるか、又は、ＰＣ再生状態であるかの情報を受信したか否かを判断している（Ｓ５１）。受信した場合（Ｓ５１でＹＥＳ）、マイコン５Ａは、メモリ５Ｋにクレードル１がＤＡＰ２再生状態であるか、ＤＡＰ３再生状態であるか、又は、ＰＣ再生状態であるかの情報を記憶させる（Ｓ５２）。
【００６９】
マイコン５Ａは、メモリに記憶した再生状態情報がＤＡＰ２再生状態であるか否かを判断する（Ｓ５３）。ＤＡＰ２再生状態であれば（Ｓ５３でＹＥＳ）、セレクタ５ＢがＤＡＰ／ＰＣ選択状態である場合に、マイコン５Ａは、図５（ａ）に示すように表示部５Ｄに「ＤＡＰ２」と表示させる（Ｓ５４）。ＤＡＰ２再生状態でなければ（Ｓ５３でＮＯ）、マイコン５Ａは、メモリに記憶した再生状態情報がＤＡＰ３再生状態であるか否かを判断する（Ｓ５５）。ＤＡＰ３再生状態であれば（Ｓ５５でＹＥＳ）、セレクタ５ＢがＤＡＰ／ＰＣ選択状態である場合に、マイコン５Ａは、図５（ｂ）に示すように表示部５Ｄに「ＤＡＰ３」と表示させる（Ｓ５６）。一方、ＰＣ再生状態であれば（Ｓ５５でＮＯ）、セレクタ５ＢがＤＡＰ／ＰＣ選択状態である場合に、マイコン５Ａは、図５（ｃ）に示すように表示部５Ｄに「ＰＣ」と表示させる（Ｓ５７）。
【００７０】
なお、Ｓ５１、Ｓ５２の処理は、増幅装置５がスタンバイ状態の時にも実行される。スタンバイ状態では、マイコン５Ａのみに図示しないスタンバイ電源回路から電源電圧が供給され、動作を実行可能だからである。従って、増幅装置５がスタンバイ状態から電源オン状態に移行した際に、セレクタ５ＢがＤＡＰ／ＰＣ選択状態であれば、メモリ５Ｋに記憶されているクレードル１がＤＡＰ２再生状態であるか、ＤＡＰ３再生状態であるか、又は、ＰＣ再生状態であるかの情報に基づいて、ＤＡＰ２再生状態であれば表示部５Ｄに「ＤＡＰ２」と表示させ、ＤＡＰ３再生状態であれば表示部５Ｄに「ＤＡＰ３」と表示させ、ＰＣ再生状態であれば表示部５Ｄに「ＰＣ」と表示させる。従って、増幅装置５がスタンバイ状態のときに、クレードルの再生状態が変更された場合にも、メモリ５Ｋに記憶されるクレードル１の再生状態が正確なものに随時変更されるので、増幅装置５が電源オン状態に移行した際に、クレードル１の正確な再生状態を表示させることができる。
【００７１】
図１１に示すように、マイコン５Ａは、ユーザ操作により、リモコン受信部５Ｅ又は操作部５Ｆを介して、クレードル１をＤＡＰ２再生状態、ＤＡＰ３再生状態、又は、ＰＣ再生状態に移行させる指示が入力されたか否かを判断する（Ｓ６１）。入力されない場合（Ｓ６１でＮＯ）、処理はＳ６３に進む。入力された場合（Ｓ６１でＹＥＳ）、マイコン５Ａは、クレードル１をＤＡＰ２再生状態、ＤＡＰ３再生状態、又は、ＰＣ再生状態に移行させる指示を、クレードル１のマイコン１Ａに送信する（Ｓ６２）。なお、このタイミングでは、マイコン５Ａは、メモリに記憶されている、クレードル１がＤＡＰ２再生状態であるか、ＤＡＰ３再生状態であるか、又は、ＰＣ再生状態であるかの情報を変更しない。実際に、クレードル１のマイコン１Ａから、クレードル１がＤＡＰ２再生状態であるか、ＤＡＰ３再生状態であるか、または、ＰＣ再生状態であるかの情報を受信したときにはじめてメモリに記憶されている、クレードル１がＤＡＰ２再生状態であるか、ＤＡＰ３再生状態であるか、または、ＰＣ再生状態であるかの情報を変更する。これにより、より確実にクレードル１の実際の再生状態と、増幅装置のメモリに記憶されているクレードル１の再生状態とを同期させることができる。
【００７２】
マイコン５Ａは、ユーザ操作により、リモコン受信部５Ｅ又は操作部５Ｆを介して、ＤＡＰ２を再生開始する指示またはＤＡＰ３を再生開始する指示が入力されたか否かを判断する（Ｓ６３）。入力されない場合（Ｓ６３でＮＯ）、処理はＳ６５に進む。ＤＡＰ２を再生開始する指示が入力された場合（Ｓ６３でＹＥＳ）、マイコン５Ａは、ＤＡＰ２を再生開始する指示を、クレードル１のマイコン１Ａに送信する（Ｓ６４）。また、ＤＡＰ３を再生開始する指示が入力された場合（Ｓ６３でＹＥＳ）、マイコン５Ａは、ＤＡＰ３を再生開始する指示を、クレードル１のマイコン１Ａに送信する（Ｓ６４）。なお、このタイミングでは、マイコン５Ａは、メモリに記憶されているクレードル１の再生状態をＤＡＰ２再生状態またはＤＡＰ３再生状態に変更しない。実際に、クレードル１のマイコン１Ａから、クレードル１がＤＡＰ２再生状態またはＤＡＰ３再生状態であることを示す情報を受信したときにはじめて、メモリに記憶されているクレードル１の再生状態をＤＡＰ２再生状態またはＤＡＰ３再生状態に変更する。これにより、より確実にクレードル１の実際の再生状態と、増幅装置のメモリに記憶されているクレードル１の再生状態とを同期させることができる。
【００７３】
マイコン５Ａは、ユーザ操作により、リモコン受信部５Ｅ又は操作部５Ｆを介して、電源オン状態に移行する指示が入力されたか否かを判断する（Ｓ６５）。入力されない場合（Ｓ６５でＮＯ）、処理はＳ６１に戻る。入力された場合（Ｓ６５でＹＥＳ）、マイコン５Ａは増幅装置５をスタンバイ状態から電源オン状態に移行し、クレードル１のマイコン１Ａにスタンバイ状態から電源オン状態に移行する指示を送信する（Ｓ６６）。クレードル１がスタンバイ状態から電源オン状態に移行した後、クレードル１のマイコン１Ａからクレードル１がＤＡＰ２再生状態であるか、ＤＡＰ３再生状態であるか、又は、ＰＣ再生状態であるかの情報を受信するので、クレードル１の正確な再生状態を表示させることができる。例えば、増幅装置５がスタンバイ状態であり、クレードル１が電源オン状態で、増幅装置５とクレードル１とが通信ケーブルが抜かれている状態で、クレードル１のＤＡＰ２再生状態、ＤＡＰ３再生状態、又は、ＰＣ再生状態が変更され、その後、クレードル１がスタンバイ状態にされたあと、増幅装置５とクレードル１とが通信ケーブルによって接続され、増幅装置５とクレードル１とが電源オン状態になった場合に、再生状態を同期させることができる。
【００７４】
図１２は、ＤＡＰ２記録動作状態に移行する又は解除するマイコン１Ａの動作を示す。ＤＡＰ２再生状態、ＤＡＰ３再生状態、ＰＣ再生状態およびＤＡＰ３記録動作状態のいずれの状態であっても、ＤＡＰ２記録動作状態に移行することができる。なお、ＤＡＰ２記録動作状態と、ＤＡＰ３記録動作状態とを同時に実行することもできる。マイコン１Ａは、ＤＡＰ２記録動作状態に移行する指示が入力されたか否かを判断する（Ｓ７１）。例えば、ＲＥＣ（ＤＡＰ２）ボタンが短押しされたか否かが判断される。ＤＡＰ２記録動作状態に移行する指示が入力されない場合（Ｓ７１でＮＯ）、処理はＳ７７に進む。ＤＡＰ２記録動作状態に移行する指示が入力された場合（Ｓ７１でＹＥＳ）、マイコン１Ａは、上記と同様に、ＤＡＰ２がコネクタ１Ｌに接続されているか否かを判断する（Ｓ７２）。ＤＡＰ２が接続されていない場合（Ｓ７２でＮＯ）、マイコン１Ａは、スイッチを切り換えず、エラーをユーザに告知する（Ｓ７６）。つまり、ＤＡＰ２記録動作状態に移行しない。ＤＡＰ２が接続されている場合（Ｓ７２でＹＥＳ）、マイコン１Ａは、上記と同様に、ＰＣ４がＵＳＢ端子１Ｎに接続され、かつ、ＰＣ４が電源オン状態であるか否かを判断する（Ｓ７３）。ＰＣ４が接続されていない、又は、電源オフ状態で場合（Ｓ７３でＮＯ）、マイコン１Ａは、スイッチを切り換えさせず、エラーをユーザに告知する（Ｓ７６）。つまり、ＤＡＰ２記録動作状態に移行しない。ＰＣ４が接続されていない、又は、電源オフ状態の場合に、スイッチ１Ｅがコネクタ１Ｌとハブ１Ｃとを接続すると、ＤＡＰ２に充電コマンドを送信できなくなり、ＤＡＰ２を充電できなくなるが、本例ではこの問題を解決できる。
【００７５】
ＰＣ４が接続され、かつ、電源オン状態である場合（Ｓ７３でＹＥＳ）、マイコン１Ａは、スイッチ１Ｅにコネクタ１Ｌとハブ１Ｃとを接続させる。つまり、マイコン１Ａは、ＤＡＰ２記録動作状態に設定する（Ｓ７４）。従って、ＤＡＰ２とＰＣ４とがＵＳＢを介して通信することにより、ＰＣ４からのオーディオファイルがハブ１Ｃ、スイッチ１Ｅを介してＤＡＰ２に転送され、ＤＡＰ２に記録される。この場合、ホストコントローラ１Ｂから充電コマンドをＤＡＰ２に送信できなくなるが、ＰＣ４のホストコントローラ４ＡからＤＡＰ２に充電コマンドが送信されることにより、ＤＡＰ２を充電させることができる。また、必須ではないが、スイッチ１Ｆにコネクタ１Ｍとスイッチ１Ｇとを接続させ、スイッチ１Ｇにスイッチ１Ｆとホストコントローラ１Ｂとを接続させることにより、ホストコントローラ１ＢからＤＡＰ３に充電コマンドが送信されることにより、ＤＡＰ３も充電させることができる。
【００７６】
マイコン１Ａは、スイッチ１Ｈにオーディオ処理部１Ｄと出力端子１Ｏとを接続させる。つまり、マイコン１Ａは、ＰＣ再生状態に設定する（Ｓ７５）。従って、ＰＣ４からのオーディオデータがハブ１Ｃ、オーディオ処理部１Ｄ、スイッチ１Ｈを介して増幅装置５に出力される。このように、ＤＡＰ２記録動作状態に設定されるときには、スイッチ１Ｅがコネクタ１Ｌとハブ１Ｃとを接続しており、ＤＡＰ２のオーディオデータを受信し増幅装置５に送信することはできないので、ＰＣ再生状態に自動的に設定される。従って、ＰＣ４のオーディオファイルをＤＡＰ２に転送し、ＤＡＰ２に記録しながら、ＰＣ４からのオーディオデータを増幅装置５で再生することができる。つまり、ユーザがＰＣ４のオーディオを聞きながら、オーディオファイルをＤＡＰ２に記録できる。
【００７７】
もしくは、マイコン１Ａは、スイッチ１Ｆにコネクタ１Ｍとスイッチ１Ｇとを接続させ、スイッチ１Ｇにスイッチ１Ｆとホストコントローラ１Ｂとを接続させ、スイッチ１Ｈにホストコントローラ１Ｂと出力端子１Ｏとを接続させる。つまり、マイコン１Ａは、ＤＡＰ３再生状態に設定する（Ｓ７５）。従って、ＤＡＰ３からのオーディオデータがスイッチ１Ｆ、１Ｇ、ホストコントローラ１Ｂ、スイッチ１Ｈを介して増幅装置５に出力される。このように、ＤＡＰ２記録動作状態に設定されるときには、スイッチ１Ｅがコネクタ１Ｌとハブ１Ｃとを接続しており、ＤＡＰ２のオーディオデータを受信し増幅装置５に送信することはできないので、ＤＡＰ３再生状態に自動的に設定される。従って、ＰＣ４のオーディオファイルをＤＡＰ２に転送し、ＤＡＰ２に記録しながら、ＤＡＰ３からのオーディオデータを増幅装置５で再生することができる。つまり、ユーザがＤＡＰ３のオーディオを聞きながら、オーディオファイルをＤＡＰ２に記録できる。
【００７８】
Ｓ７５においてＤＡＰ２記録動作状態のとき、ＰＣ４のオーディオデータ又はＤＡＰ３のオーディオデータのいずれを増幅装置５に出力するかは例えば以下の条件で決定されるとよい。ＤＡＰ２記録動作状態に移行する指示が入力される際に、ＰＣ再生状態であれば、ＤＡＰ２記録動作状態において、ＰＣ４のオーディオデータが増幅装置５に出力される（ＤＡＰ２記録動作状態と、ＰＣ再生状態とを同時実行）。また、ＤＡＰ２記録動作状態とＤＡＰ３記録動作状態とが同時に実行される場合にも、ＰＣ４のオーディオデータが増幅装置５に出力される（ＤＡＰ２記録動作状態と、ＤＡＰ３記録動作状態と、ＰＣ再生状態とを同時実行）。ＤＡＰ２記録動作状態に移行する指示が入力される際に、ＤＡＰ３再生状態であれば、ＤＡＰ２記録動作状態において、ＤＡＰ３のオーディオデータが増幅装置５に出力される（ＤＡＰ２記録動作状態と、ＤＡＰ３再生状態とを同時実行）。ＤＡＰ２記録動作状態に移行する指示が入力される際に、ＤＡＰ２再生状態であれば（又はいずれの再生状態でもない場合）、ＤＡＰ２記録動作状態において、ＰＣ４又はＤＡＰ３のうちの予め定められた一方の（デフォルトの）オーディオデータが増幅装置５に出力される。
【００７９】
マイコン１Ａは、ＤＡＰ２記録動作状態を解除する指示が入力された否かを判断する（Ｓ７７）。例えば、ＲＥＣ（ＤＡＰ２）ボタンが長押しされたか否かを判断する。ＤＡＰ２記録動作状態を解除する指示が入力されない場合（Ｓ７７でＮＯ）、処理はＳ７１に戻る。ＤＡＰ２記録動作状態を解除する指示が入力された場合（Ｓ７７でＹＥＳ）、マイコン１Ａは、スイッチ１Ｅにコネクタ１Ｌとスイッチ１Ｇとを接続させる（コネクタ１Ｌとハブ１Ｃとの接続を解除する）。つまり、マイコン１ＡはＤＡＰ２記録動作状態を解除し、ＰＣ４とＤＡＰ２とがＵＳＢを介して通信せず、ＰＣ４からのオーディオファイルがＤＡＰ２に転送されないようにする（Ｓ７８）。この場合、もしＰＣ４のオーディオデータを増幅装置５で再生している場合、スイッチ１Ｇにスイッチ１Ｅとホストコントローラ１Ｂとを接続させることにより、ホストコントローラ１ＢからＤＡＰ２に充電コマンドが送信されることにより、ＤＡＰ２を充電させることができる。
【００８０】
なお、ＰＣ４のオーディオデータを増幅装置５で再生している場合、ＤＡＰ２記録動作状態の解除後も、スイッチ１Ｈはオーディオ処理部１Ｄと出力端子１Ｏとの接続状態（ＰＣ再生状態）を維持する。従って、ユーザが、ＰＣ４のオーディオファイルをＤＡＰ２に転送し、ＤＡＰ２に記録させながら、ＰＣ４のオーディオデータを増幅装置５で再生して聴いている際に、ＤＡＰ２記録動作状態を解除したことにより、ＰＣ４からのオーディオデータが増幅装置５から再生されなくなることを防止できる。ＤＡＰ２記録動作状態の解除後に、ＤＡＰ２からのオーディオデータを増幅装置５で再生する場合には、ＤＡＰ２再生状態に移行する指示が入力される、又は、ＤＡＰ２が再生開始することにより実行できる。
【００８１】
もしくは、ＤＡＰ３のオーディオデータを増幅装置５で再生している場合、ＤＡＰ２記録動作状態の解除後も、スイッチ１Ｆにコネクタ１Ｍとスイッチ１Ｇとを接続させ、スイッチ１Ｇにスイッチ１Ｆとホストコントローラ１Ｂとを接続させ、スイッチ１Ｈにホストコントローラ１Ｂと出力端子１Ｏとの接続させた状態（ＤＡＰ３再生状態）を維持する。従って、ユーザが、ＰＣ４のオーディオファイルをＤＡＰ２に転送し、ＤＡＰ２に記録させながら、ＤＡＰ３のオーディオデータを増幅装置５で再生して聴いている際に、ＤＡＰ２記録動作状態を解除したことにより、ＤＡＰ３からのオーディオデータが増幅装置５から再生されなくなることを防止できる。ＤＡＰ２記録動作状態の解除後に、ＤＡＰ２からのオーディオデータを増幅装置５で再生する場合には、ＤＡＰ２再生状態に移行する指示が入力される、又は、ＤＡＰ２が再生開始することにより実行できる。
【００８２】
図１３は、ＤＡＰ３記録動作状態に移行する又は解除するマイコン１Ａの動作を示す。ＤＡＰ２再生状態、ＤＡＰ３再生状態、ＰＣ再生状態およびＤＡＰ２記録動作状態のいずれの状態であっても、ＤＡＰ３記録動作状態に移行することができる。なお、ＤＡＰ２記録動作状態と、ＤＡＰ３記録動作状態とを同時に実行することもできる。マイコン１Ａは、ＤＡＰ３記録動作状態に移行する指示が入力されたか否かを判断する（Ｓ８１）。例えば、ＲＥＣ（ＤＡＰ３）ボタンが短押しされたか否かが判断される。ＤＡＰ３記録動作状態に移行する指示が入力されない場合（Ｓ８１でＮＯ）、処理はＳ８７に進む。ＤＡＰ３記録動作状態に移行する指示が入力された場合（Ｓ８１でＹＥＳ）、マイコン１Ａは、上記と同様に、ＤＡＰ３がコネクタ１Ｍに接続されているか否かを判断する（Ｓ８２）。ＤＡＰ３が接続されていない場合（Ｓ８２でＮＯ）、マイコン１Ａは、スイッチを切り換えず、エラーをユーザに告知する（Ｓ８６）。つまり、ＤＡＰ３記録動作状態に移行しない。ＤＡＰ３が接続されている場合（Ｓ８２でＹＥＳ）、マイコン１Ａは、上記と同様に、ＰＣ４がＵＳＢ端子１Ｎに接続され、かつ、ＰＣ４が電源オン状態であるか否かを判断する（Ｓ８３）。ＰＣ４が接続されていない、又は、電源オフ状態で場合（Ｓ８３でＮＯ）、マイコン１Ａは、スイッチを切り換えさせず、エラーをユーザに告知する（Ｓ８６）。つまり、ＤＡＰ３記録動作状態に移行しない。ＰＣ４が接続されていない、又は、電源オフ状態の場合に、スイッチ１Ｆがコネクタ１Ｍとハブ１Ｃとを接続すると、ＤＡＰ３に充電コマンドを送信できなくなり、ＤＡＰ３を充電できなくなるが、本例ではこの問題を解決できる。
【００８３】
ＰＣ４が接続され、かつ、電源オン状態である場合（Ｓ８３でＹＥＳ）、マイコン１Ａは、スイッチ１Ｆにコネクタ１Ｍとハブ１Ｃとを接続させる。つまり、マイコン１Ａは、ＤＡＰ３記録動作状態に設定する（Ｓ８４）。従って、ＤＡＰ３とＰＣ４とがＵＳＢを介して通信することにより、ＰＣ４からのオーディオファイルがハブ１Ｃ、スイッチ１Ｆを介してＤＡＰ３に転送され、ＤＡＰ３に記録される。この場合、ホストコントローラ１Ｂから充電コマンドをＤＡＰ３に送信できなくなるが、ＰＣ４のホストコントローラ４ＡからＤＡＰ３に充電コマンドが送信されることにより、ＤＡＰ３を充電させることができる。また、必須ではないが、スイッチ１Ｅにコネクタ１Ｌとスイッチ１Ｇとを接続させ、スイッチ１Ｇにスイッチ１Ｆとホストコントローラ１Ｂとを接続させることにより、ホストコントローラ１ＢからＤＡＰ２に充電コマンドが送信されることにより、ＤＡＰ２も充電させることができる。
【００８４】
マイコン１Ａは、スイッチ１Ｈにオーディオ処理部１Ｄと出力端子１Ｏとを接続させる。つまり、マイコン１Ａは、ＰＣ再生状態に設定する（Ｓ８５）。従って、ＰＣ４からのオーディオデータがハブ１Ｃ、オーディオ処理部１Ｄ、スイッチ１Ｈを介して増幅装置５に出力される。このように、ＤＡＰ３記録動作状態に設定されるときには、スイッチ１Ｆがコネクタ１Ｍとハブ１Ｃとを接続しており、ＤＡＰ３のオーディオデータを受信し増幅装置５に送信することはできないので、ＰＣ再生状態に自動的に設定される。従って、ＰＣ４のオーディオファイルをＤＡＰ３に転送し、ＤＡＰ３に記録しながら、ＰＣ４からのオーディオデータを増幅装置５で再生することができる。つまり、ユーザがＰＣ４のオーディオを聞きながら、オーディオファイルをＤＡＰ３に記録できる。
【００８５】
もしくは、マイコン１Ａは、スイッチ１Ｅにコネクタ１Ｌとスイッチ１Ｇとを接続させ、スイッチ１Ｇにスイッチ１Ｅとホストコントローラ１Ｂとを接続させ、スイッチ１Ｈにホストコントローラ１Ｂと出力端子１Ｏとを接続させる。つまり、マイコン１Ａは、ＤＡＰ２再生状態に設定する（Ｓ８５）。従って、ＤＡＰ２からのオーディオデータがスイッチ１Ｅ、１Ｇ、ホストコントローラ１Ｂ、スイッチ１Ｈを介して増幅装置５に出力される。このように、ＤＡＰ３記録動作状態に設定されるときには、スイッチ１Ｆがコネクタ１Ｍとハブ１Ｃとを接続しており、ＤＡＰ３のオーディオデータを受信し増幅装置５に送信することはできないので、ＤＡＰ２再生状態に自動的に設定される。従って、ＰＣ４のオーディオファイルをＤＡＰ３に転送し、ＤＡＰ３に記録しながら、ＤＡＰ２からのオーディオデータを増幅装置５で再生することができる。つまり、ユーザがＤＡＰ２のオーディオを聞きながら、オーディオファイルをＤＡＰ３に記録できる。
【００８６】
Ｓ８５においてＤＡＰ３記録動作状態のとき、ＰＣ４のオーディオデータ又はＤＡＰ２のオーディオデータのいずれを増幅装置５で再生するかは以下の条件で決定されるとよい。ＤＡＰ３記録動作状態に移行する指示が入力される際に、ＰＣ再生状態であれば、ＤＡＰ３記録動作状態において、ＰＣ４のオーディオデータが増幅装置５で再生される（ＤＡＰ３記録動作状態と、ＰＣ再生状態とを同時実行）。また、ＤＡＰ２記録動作状態とＤＡＰ３記録動作状態とが同時に実行される場合にも、ＰＣ４のオーディオデータが増幅装置５に出力される（ＤＡＰ２記録動作状態と、ＤＡＰ３記録動作状態と、ＰＣ再生状態とを同時実行）。ＤＡＰ３記録動作状態に移行する指示が入力される際に、ＤＡＰ２再生状態であれば、ＤＡＰ３記録動作状態において、ＤＡＰ２のオーディオデータが増幅装置５で再生される（ＤＡＰ３記録動作状態と、ＤＡＰ２再生状態とを同時実行）。ＤＡＰ３記録動作状態に移行する指示が入力される際に、ＤＡＰ３再生状態であれば（又はいずれの再生状態でもない場合）、ＤＡＰ３記録動作状態において、ＰＣ４又はＤＡＰ２のうちの予め定められた一方の（デフォルトの）オーディオデータが増幅装置５で再生される。
【００８７】
マイコン１Ａは、ＤＡＰ３記録動作状態を解除する指示が入力された否かを判断する（Ｓ８７）。例えば、ＲＥＣ（ＤＡＰ３）ボタンが長押しされたか否かを判断する。ＤＡＰ３記録動作状態を解除する指示が入力されない場合（Ｓ８７でＮＯ）、処理はＳ８１に戻る。ＤＡＰ３記録動作状態を解除する指示が入力された場合（Ｓ８７でＹＥＳ）、マイコン１Ａは、スイッチ１Ｆにコネクタ１Ｍとスイッチ１Ｇとを接続させる（コネクタ１Ｍとハブ１Ｃとの接続を解除する）。つまり、マイコン１ＡはＤＡＰ３記録動作状態を解除し、ＰＣ４とＤＡＰ３とがＵＳＢを介して通信せず、ＰＣ４からのオーディオファイルがＤＡＰ３に転送されないようにする（Ｓ８８）。この場合、もしＰＣ４のオーディオデータを増幅装置５で再生している場合、スイッチ１Ｇにスイッチ１Ｆとホストコントローラ１Ｂとを接続させることにより、ホストコントローラ１ＢからＤＡＰ３に充電コマンドが送信されることにより、ＤＡＰ３を充電させることができる。
【００８８】
なお、ＰＣ４のオーディオデータを増幅装置５で再生している場合、ＤＡＰ３記録動作状態の解除後も、スイッチ１Ｈはオーディオ処理部１Ｄと出力端子１Ｏとの接続状態を維持する（ＰＣ再生状態を維持する）。従って、ユーザが、ＰＣ４のオーディオファイルをＤＡＰ３に転送し、ＤＡＰ３に記録させながら、ＰＣ４のオーディオデータを増幅装置５で再生して聴いている際に、ＤＡＰ３記録動作状態を解除したことにより、ＰＣ４からのオーディオデータが増幅装置５から再生されなくなることを防止できる。ＤＡＰ３記録動作状態の解除後に、ＤＡＰ３からのオーディオデータを増幅装置５で再生する場合には、ＤＡＰ３再生状態に移行する指示が入力される、又は、ＤＡＰ３が再生開始することにより実行できる。
【００８９】
もしくは、ＤＡＰ２のオーディオデータを増幅装置５で再生している場合、ＤＡＰ３記録動作状態の解除後も、スイッチ１Ｅにコネクタ１Ｌとスイッチ１Ｇとを接続させ、スイッチ１Ｇにスイッチ１Ｅとホストコントローラ１Ｂとを接続させ、スイッチ１Ｈにホストコントローラ１Ｂと出力端子１Ｏとを接続させた状態を維持する（ＤＡＰ２再生状態を維持する）。従って、ユーザが、ＰＣ４のオーディオファイルをＤＡＰ３に転送し、ＤＡＰ３に記録させながら、ＤＡＰ２のオーディオデータを増幅装置５で再生して聴いている際に、ＤＡＰ３記録動作状態を解除したことにより、ＤＡＰ２からのオーディオデータが増幅装置５から再生されなくなることを防止できる。ＤＡＰ３記録動作状態の解除後に、ＤＡＰ３からのオーディオデータを増幅装置５で再生する場合には、ＤＡＰ３再生状態に移行する指示が入力される、又は、ＤＡＰ３が再生開始することにより実行できる。
【００９０】
以上の処理によって、ユーザ作業としてクレードル１、ＤＡＰ２、ＤＡＰ３、ＰＣ４、増幅装置５の接続／接続解除を実行することなく、記録動作状態への移行およびその解除、再生状態の切り換えを実行することができる。なお、ＤＡＰ２記録動作状態に移行する指示、ＤＡＰ３記録動作状態に移行する指示、ＤＡＰ２記録動作状態を解除する指示、および、ＤＡＰ３記録動作状態を解除する指示は、ボタン操作に限定されず、リモコン送信機７からのリモコン信号又は増幅装置５から供給される制御信号であってもよい。
【００９１】
次に、本発明の別の好ましい実施形態を説明する。図１４に示すように、マイコン１Ａは、上記いずれかの処理によって、ＤＡＰ２再生状態に変更され、ＤＡＰ２からの音声データが出力端子１Ｏから出力されるように各スイッチが切り換えられたか否かを判断する（Ｓ９１）。ＤＡＰ２再生状態に切り換えられた場合（Ｓ９１でＹＥＳ）、スイッチ１Ｇはスイッチ１Ｅとホストコントローラ１Ｂとを接続するので、ＤＡＰ３はホストコントローラ１Ｂと接続されなくなり、ＤＡＰ３はホストコントローラ１Ｂから充電コマンドを受信することができない。また、スイッチ１Ｆがコネクタ１Ｍとスイッチ１Ｇとを接続していると、ＤＡＰ３はＰＣ４のホストコントローラ４Ａからも充電コマンドを受信することができない。その結果、ＤＡＰ３は充電コマンドを受信できず、充電できない。そこで、マイコン１Ａは、ＤＡＰ３の充電率が１００％（満充電状態）であるか否かを判断する（Ｓ９２）。充電率の情報はＤＡＰ３とホストコントローラ１Ｂとが接続されている限りＤＡＰ３から常時取得することが可能である。充電率が１００％であれば（Ｓ９２でＹＥＳ）、Ｓ９１に戻る。充電率が１００％でなければ（Ｓ９２でＮＯ）、マイコン１Ａは、ＰＣ４がＵＳＢ端子１Ｎに接続され、かつ、ＰＣ４が電源オン状態であるか否かを判断する（Ｓ９３）。ＰＣ４がＵＳＢ端子１Ｎに接続されていない、または、ＰＣ４が電源オフ状態である場合（Ｓ９３でＮＯ）、Ｓ９１に戻る。ＰＣ４がＵＳＢ端子１Ｎに接続され、かつ、ＰＣ４が電源オン状態である場合（Ｓ９３でＹＥＳ）、マイコン１Ａは、スイッチ１Ｆにコネクタ１Ｍとハブ１Ｃとを接続させる（Ｓ９４）。従って、ＰＣ４のホストコントローラ４ＡからＤＡＰ３に充電コマンドが送信されるので、ＤＡＰ３を充電させることができる。なお、Ｓ９２、Ｓ９３の処理を設けずに、Ｓ９１でＹＥＳと判断された場合に、必ずスイッチ１Ｆにコネクタ１Ｍとハブ１Ｃとを接続させてもよい。また、充電率の代わりに、充電レベル（例えば０〜２５５の整数）、残充電時間等の充電情報が使用されてもよい。
【００９２】
また、図１５に示すように、マイコン１Ａは、上記いずれかの処理によって、ＤＡＰ３再生状態に変更され、ＤＡＰ３からの音声データが出力端子１Ｏから出力されるように各スイッチが切り換えられたか否かを判断する（Ｓ１０１）。ＤＡＰ３再生状態に切り換えられた場合（Ｓ１０１でＹＥＳ）、スイッチ１Ｇはスイッチ１Ｆとホストコントローラ１Ｂとを接続するので、ＤＡＰ２はホストコントローラ１Ｂと接続されなくなり、ＤＡＰ２はホストコントローラ１Ｂから充電コマンドを受信することができない。また、スイッチ１Ｅがコネクタ１Ｌとスイッチ１Ｇとを接続していると、ＤＡＰ２はＰＣ４のホストコントローラ４Ａからも充電コマンドを受信することができない。その結果、ＤＡＰ２は充電コマンドを受信できず、充電できない。そこで、マイコン１Ａは、ＤＡＰ２の充電率が１００％（満充電状態）であるか否かを判断する（Ｓ１０２）。充電率の情報はＤＡＰ２とホストコントローラ１Ｂとが接続されている限りＤＡＰ２から常時取得することが可能である。充電率が１００％であれば（Ｓ１０２でＹＥＳ）、Ｓ１０１に戻る。充電率が１００％でなければ（Ｓ１０２でＮＯ）、マイコン１Ａは、ＰＣ４がＵＳＢ端子１Ｎに接続され、かつ、ＰＣ４が電源オン状態であるか否かを判断する（Ｓ１０３）。ＰＣ４がＵＳＢ端子１Ｎに接続されていない、または、ＰＣ４が電源オフ状態である場合（Ｓ１０３でＮＯ）、Ｓ１０１に戻る。ＰＣ４がＵＳＢ端子１Ｎに接続され、かつ、ＰＣ４が電源オン状態である場合（Ｓ１０３でＹＥＳ）、マイコン１Ａは、スイッチ１Ｅにコネクタ１Ｌとハブ１Ｃとを接続させる（Ｓ１０４）。従って、ＰＣ４のホストコントローラ４ＡからＤＡＰ２に充電コマンドが送信されるので、ＤＡＰ２を充電させることができる。なお、Ｓ１０２、Ｓ１０３の処理を設けずに、Ｓ１０１でＹＥＳと判断された場合に、必ずスイッチ１Ｅにコネクタ１Ｌとハブ１Ｃとを接続させてもよい。また、充電率の代わりに、充電レベル（例えば０〜２５５の整数）、残充電時間等の充電情報が使用されてもよい。
【００９３】
次に、本発明のさらに別の実施形態を説明する。本例では、ＤＡＰ２再生状態（又はＤＡＰ２再生状態、かつ、ＤＡＰ２がオーディオファイルを再生している）のときにＤＡＰ２がコネクタ１Ｌから接続解除された場合、自動的にＤＡＰ３再生状態に移行し（必要に応じてＤＡＰ３に再生コマンドを送信し）、ＤＡＰ３からのオーディオデータを増幅装置５に再生させる。図１６に示すように、マイコン１Ａは、ＤＡＰ２再生状態（つまり、スイッチ１Ｅがコネクタ１Ｌとスイッチ１Ｇとを接続し、スイッチ１Ｇがスイッチ１Ｅとホストコントローラ１Ｂとを接続し、スイッチ１Ｈが出力端子１Ｏとホストコントローラ１Ｂとを接続）であるか否かを判断する（Ｓ１１１）。もしくは、Ｓ１１１で、マイコン１Ａは、ＤＡＰ２再生状態であり、かつ、ＤＡＰ２がオーディオファイルを再生中であるか否かを判断してもよい。ＤＡＰ２がオーディオファイルを再生中か否かはＤＡＰ２からマイコン１Ａに通知されてもよく、オーディオデータの入力有無をクレードル１において検出してもよい。ＤＡＰ２再生状態であれば（Ｓ１１１でＹＥＳ）、マイコン１Ａは、ＤＡＰ２がコネクタ１Ｌから接続解除されたか否かを判断する（Ｓ１１２）。接続解除されない場合（Ｓ１１２でＮＯ）、処理はＳ１１１に戻る。ＤＡＰ２が接続解除された場合（１１２でＹＥＳ）、マイコン１ＡはＤＡＰ３がコネクタ１Ｍに接続されているか否かを判断する（Ｓ１１３）。ＤＡＰ３が接続されていない場合（Ｓ１１３でＮＯ）、ＤＡＰ３再生状態に切り換えず、処理はＳ１１６に進む。ＤＡＰ３が接続されている場合（Ｓ１１３でＹＥＳ）、マイコン１Ａは、ＤＡＰ３記録動作状態でないかを判断する（Ｓ１１４）。
【００９４】
ＤＡＰ３記録動作状態でなければ（Ｓ１１４でＹＥＳ）、マイコン１Ａは、ＤＡＰ３再生状態に切り換える（Ｓ１１５）。つまり、マイコン１Ａは、スイッチ１Ｆにコネクタ１Ｍとスイッチ１Ｇとを接続させ、スイッチ１Ｇにスイッチ１Ｆとホストコントローラ１Ｂとを接続させ、スイッチ１Ｈに出力端子１Ｏとホストコントローラ１Ｂとを接続させる。また、マイコン１Ａは、ＤＡＰ３がオーディオファイルを再生してない場合には、ＤＡＰ３にオーディオファイルを再生開始する指示を送信する（Ｓ１１５）。ＤＡＰ３がオーディオファイルを再生しているか否かはＤＡＰ３からマイコン１Ａに通知される。従って、ＤＡＰ２が接続解除された後には、自動的にＤＡＰ３からのオーディオデータを増幅装置５に出力し、再生することができる。
【００９５】
一方、ＤＡＰ３記録動作状態である場合（Ｓ１１４でＮＯ）、ＤＡＰ３再生状態に切り換えると、ＰＣ４からＤＡＰ３へオーディオファイルを転送し、ＤＡＰ３に記録させることができなくなる。そこで、ＤＡＰ３再生状態に切り換えない。次に、マイコン１Ａは、ＰＣ４がＵＳＢ端子１Ｎに接続され、かつ、ＰＣ４が電源オン状態であるか否かを判断する（Ｓ１１６）。ＰＣ４が接続され、かつ、ＰＣ４が電源オン状態である場合（Ｓ１１６でＹＥＳ）、マイコン１ＡはＰＣ再生状態に切り換える（Ｓ１１７）。つまり、マイコン１Ａは、スイッチ１Ｈに出力端子１Ｏとオーディオ処理部１Ｄとを接続させる。マイコン１Ａは、ＰＣ４がオーディオファイルを再生していない場合、ＰＣ４に再生開始指示を送信する。従って、ＤＡＰ２が接続解除された後には、自動的にＰＣ４からのオーディオデータを増幅装置５に出力し、再生することができる。ＰＣ４が接続されていない、または、ＰＣ４が電源オフ状態である場合（Ｓ１１６でＮＯ）、ＰＣ再生状態に切り換えず、Ｓ１１１に戻る。
【００９６】
なお、Ｓ１１３、Ｓ１１４、Ｓ１１６、Ｓ１１７の処理を省略し、ＤＡＰ２が接続解除された際に、必ずＤＡＰ３再生状態に切り換えてもよい。また、Ｓ１１３〜Ｓ１１６の処理を省略し、ＤＡＰ２が接続解除された際に、必ずＰＣ再生状態に切り換えてもよい。
【００９７】
図１７は図１６の変形例であり、図１６と同じ処理には同じ符号を付け、説明を省略する。マイコン１Ａは、ＤＡＰ２再生状態であり、かつ、ＤＡＰ２がオーディオファイルを再生している場合に（Ｓ１１１でＹＥＳ）、ＤＡＰ２が現在再生中のオーディオファイルの特定情報（例えば、曲名とアーティスト名との組み合わせ）を図示しないメモリに記憶する。ＤＡＰ２が再生中のオーディオファイルの特定情報は再生中のオーディオファイルが変更される毎にＤＡＰ２からホストコントローラ１Ｂ経由でマイコン１Ａに送信されるとよい。
【００９８】
Ｓ１１４でＹＥＳと判断されると、マイコン１Ａは、ＤＡＰ２が接続解除される直前に再生していたオーディオファイルと同じオーディオファイルがＤＡＰ３にも記録されているか否かを判断する（Ｓ１１９）。すなわち、ＤＡＰ３が記録している全オーディオファイルのリストをＤＡＰ３とホストコントローラ１Ｂとが接続されたときに予めＤＡＰ３から取得して、メモリに記憶しておく。マイコン１Ａは、ＤＡＰ２が接続解除される直前に再生していたオーディオファイルの特定情報をメモリから読み出して、当該オーディオファイルの特定情報が、ＤＡＰ３が記録している全オーディオファイルのリストに含まれているかを確認する。
【００９９】
ＤＡＰ２が接続解除される直前に再生していたオーディオファイルと同じオーディオファイルがＤＡＰ３にも記録されている場合（Ｓ１１９でＹＥＳ）、マイコン１Ａは、ＤＡＰ３再生状態に切り換える（Ｓ１１５）。そして、マイコン１Ａは、ＤＡＰ２が接続解除される直前に再生していたオーディオファイルと同じオーディオファイルを再生開始する指示をＤＡＰ３に送信する（Ｓ１１５）。従って、ＤＡＰ２が接続解除された後には、自動的に、ＤＡＰ２が接続解除される直前に再生していたオーディオファイルをＤＡＰ３に再生させ、ＤＡＰ３からのオーディオデータを増幅装置５に出力することができる。
【０１００】
一方、Ｓ１１９で、ＤＡＰ２が接続解除される直前に再生していたオーディオファイルと同じオーディオファイルがＤＡＰ３に記録されていない場合（Ｓ１１９でＮＯ）、ＤＡＰ３再生状態に切り換えずに、Ｓ１１６に進む。または、Ｓ１１９でＮＯと判断された場合、Ｓ１１１に戻ってもよい。
【０１０１】
図１８は図１７の変形例であり、図１７と同じ処理には同じ符号を付け、説明を省略する。Ｓ１１４でＹＥＳと判断されると、マイコン１ＡはＤＡＰ３再生状態に切り換える（Ｓ１２０）。その後、マイコン１Ａは、ＤＡＰ２が接続解除される直前に再生していたオーディオファイルと同じオーディオファイルがＤＡＰ３にも記録されているか否かを判断する（Ｓ１２１）。ＤＡＰ２が接続解除される直前に再生していたオーディオファイルと同じオーディオファイルがＤＡＰ３にも記録されている場合（Ｓ１２１でＹＥＳ）、マイコン１Ａは、ＤＡＰ２が接続解除される直前に再生していたオーディオファイルと同じオーディオファイルを再生開始する指示をＤＡＰ３に送信する（Ｓ１２２）。従って、ＤＡＰ２が接続解除された後には、自動的に、ＤＡＰ２が接続解除される直前に再生していたオーディオファイルをＤＡＰ３に再生させ、ＤＡＰ３からのオーディオデータを増幅装置５に出力することができる。一方、ＤＡＰ２が接続解除される直前に再生していたオーディオファイルと同じオーディオファイルがＤＡＰ３に記録されていない場合（Ｓ１２１でＮＯ）、マイコン１Ａは、ＤＡＰ３がオーディオデータを再生してない場合には、ＤＡＰ３にオーディオデータを再生開始する指示を送信する（Ｓ１２３）。従って、ＤＡＰ２が接続解除された後には、自動的にＤＡＰ３からのオーディオデータを増幅装置５に出力することができる。
【０１０２】
次に、本発明のさらに別の実施形態を説明する。本例では、ＤＡＰ３再生状態（または、ＤＡＰ３再生状態、かつ、ＤＡＰ３がオーディオファイルを再生している）のときにＤＡＰ３がコネクタ１Ｍから接続解除されたときに、自動的にＤＡＰ２再生状態に移行し、ＤＡＰ２からのオーディオデータを増幅装置５に再生させる。図１９に示すように、マイコン１Ａは、ＤＡＰ３再生状態であるか否かを判断する（Ｓ１３１）。または、Ｓ１３１で、マイコン１Ａは、ＤＡＰ３再生状態であり、かつ、ＤＡＰ３がオーディオファイルを再生しているか否かを判断してもよい。ＤＡＰ３再生状態であれば（Ｓ１３１でＹＥＳ）、マイコン１Ａは、ＤＡＰ３がコネクタ１Ｍから接続解除されたか否かを判断する（Ｓ１３２）。接続解除されない場合（Ｓ１３２でＮＯ）、処理はＳ１３１に戻る。ＤＡＰ３が接続解除された場合（１３２でＹＥＳ）、マイコン１ＡはＤＡＰ２がコネクタ１Ｌに接続されているか否かを判断する（Ｓ１３３）。ＤＡＰ２が接続されていない場合（Ｓ１３３でＮＯ）、ＤＡＰ２再生状態に切り換えず、処理はＳ１３６に進む。ＤＡＰ２が接続されている場合（Ｓ１３３でＹＥＳ）、マイコン１Ａは、ＤＡＰ２記録動作状態でないかを判断する（Ｓ１３４）。
【０１０３】
ＤＡＰ２記録動作状態でなければ（Ｓ１３４でＹＥＳ）、マイコン１Ａは、ＤＡＰ２再生状態に切り換える（Ｓ１３５）。つまり、マイコン１Ａは、スイッチ１Ｅにコネクタ１Ｌとスイッチ１Ｇとを接続させ、スイッチ１Ｇにスイッチ１Ｅとホストコントローラ１Ｂとを接続させ、スイッチ１Ｈに出力端子１Ｏとホストコントローラ１Ｂとを接続させる。また、マイコン１Ａは、ＤＡＰ２がオーディオデータを再生してない場合には、ＤＡＰ２にオーディオデータを再生開始する指示を送信する（Ｓ１３５）。従って、ＤＡＰ３が接続解除された後には、自動的にＤＡＰ２からのオーディオデータを増幅装置５に出力し、再生することができる。
【０１０４】
一方、ＤＡＰ２記録動作状態である場合（Ｓ１３４でＮＯ）、ＤＡＰ２再生状態に切り換えると、ＰＣ４からＤＡＰ２へオーディオファイルを転送し、ＤＡＰ２に記録させることができなくなる。そこで、ＤＡＰ２再生状態に切り換えない。次に、マイコン１Ａは、ＰＣ４がＵＳＢ端子１Ｎに接続され、かつ、ＰＣ４が電源オン状態であるか否かを判断する（Ｓ１３６）。ＰＣ４が接続され、かつ、ＰＣ４が電源オン状態である場合（Ｓ１３６でＹＥＳ）、マイコン１ＡはＰＣ再生状態に切り換える（Ｓ１３７）。つまり、マイコン１Ａは、スイッチ１Ｈに出力端子１Ｏとオーディオ処理部１Ｄとを接続させる。ＰＣ４がオーディオファイルを再生していない場合、マイコン１ＡはＰＣ４に再生指示を送信する。従って、ＤＡＰ３が接続解除された後には、自動的にＰＣ４からのオーディオデータを増幅装置５に出力し、再生することができる。ＰＣ４が接続されていない、又は、ＰＣ４が電源オフ状態である場合（Ｓ１３６ＮＯ）、ＰＣ再生状態に切り換えず、処理はＳ１３１に戻る。
【０１０５】
なお、Ｓ１３３、Ｓ１３４、Ｓ１３６、Ｓ１３７の処理を省略し、ＤＡＰ３が接続解除された際に、必ずＤＡＰ２再生状態に切り換えてもよい。また、Ｓ１３３〜Ｓ１３６の処理を省略し、ＤＡＰ３が接続解除された際に、必ずＰＣ再生状態に切り換えてもよい。
【０１０６】
図２０は図１９の変形例であり、図１９と同じ処理には同じ符号を付け、説明を省略する。マイコン１Ａは、ＤＡＰ３再生状態であり、かつ、ＤＡＰ３がオーディオファイルを再生している場合に（Ｓ１３１でＹＥＳ）、ＤＡＰ３が再生中のオーディオファイルの特定情報（例えば、曲名とアーティスト名との組み合わせ）を図示しないメモリに記憶する。ＤＡＰ３が再生中のオーディオファイルの特定情報は再生中のオーディオファイルが変更される毎にＤＡＰ３からホストコントローラ１Ｂ経由でマイコン１Ａに送信される。
【０１０７】
Ｓ１３４でＹＥＳと判断されると、マイコン１Ａは、ＤＡＰ３が接続解除される直前に再生していたオーディオファイルと同じオーディオファイルがＤＡＰ２にも記録されているか否かを判断する（Ｓ１３９）。すなわち、ＤＡＰ２が記録している全オーディオファイルのリストをＤＡＰ２とホストコントローラ１Ｂとが接続されたときに予めＤＡＰ２から取得して、メモリに記憶しておく。マイコン１Ａは、ＤＡＰ３が接続解除される直前に再生していたオーディオファイルの特定情報をメモリから読み出して、当該オーディオファイルの特定情報が、ＤＡＰ２が記録している全オーディオファイルのリストに含まれているかを確認する。
【０１０８】
ＤＡＰ３が接続解除される直前に再生していたオーディオファイルと同じオーディオファイルがＤＡＰ２にも記録されている場合（Ｓ１３９でＹＥＳ）、マイコン１Ａは、ＤＡＰ２再生状態に切り換える（Ｓ１３５）。そして、マイコン１Ａは、ＤＡＰ３が接続解除される直前に再生していたオーディオファイルと同じオーディオファイルを再生開始する指示をＤＡＰ２に送信する（Ｓ１３５）。従って、ＤＡＰ３が接続解除された後には、自動的に、ＤＡＰ３が接続解除される直前に再生していたオーディオファイルをＤＡＰ２に再生させ、ＤＡＰ２からのオーディオデータを増幅装置５に出力することができる。
【０１０９】
一方、Ｓ１３９で、ＤＡＰ３が接続解除される直前に再生していたオーディオファイルと同じオーディオファイルがＤＡＰ２に記録されていない場合（Ｓ１３９でＮＯ）、ＤＡＰ２再生状態に切り換えず、Ｓ１３６に進む。または、Ｓ１３９でＮＯと判断された場合、Ｓ１３１に戻ってもよい。
【０１１０】
図２１は図２０の変形例であり、図２０と同じ処理には同じ符号を付け、説明を省略する。Ｓ１３４でＹＥＳと判断されると、マイコン１ＡはＤＡＰ２再生状態に切り換える（Ｓ１４０）。その後、マイコン１Ａは、ＤＡＰ３が接続解除される直前に再生していたオーディオファイルと同じオーディオファイルがＤＡＰ２にも記録されているか否かを判断する（Ｓ１４１）。ＤＡＰ３が接続解除される直前に再生していたオーディオファイルと同じオーディオファイルがＤＡＰ２にも記録されている場合（Ｓ１４１でＹＥＳ）、マイコン１Ａは、ＤＡＰ３が接続解除される直前に再生していたオーディオファイルと同じオーディオファイルを再生開始する指示をＤＡＰ２に送信する（Ｓ１４２）。従って、ＤＡＰ３が接続解除された後には、自動的に、ＤＡＰ３が接続解除される直前に再生していたオーディオファイルをＤＡＰ２に再生させ、ＤＡＰ２からのオーディオデータを増幅装置５に出力することができる。一方、ＤＡＰ３が接続解除される直前に再生していたオーディオファイルと同じオーディオファイルがＤＡＰ２に記録されていない場合（Ｓ１４１でＮＯ）、マイコン１Ａは、ＤＡＰ２がオーディオデータを再生してない場合には、ＤＡＰ２にオーディオデータを再生開始する指示を送信する（Ｓ１４３）。従って、ＤＡＰ３が接続解除された後には、自動的にＤＡＰ２からのオーディオデータを増幅装置５に出力することができる。
【０１１１】
次に、本発明のさらに別の実施形態を説明する。本例では、ＰＣ再生状態（またはＰＣ再生状態、かつ、ＰＣ４がオーディオファイルを再生している）のときにＰＣがＵＳＢ端子１Ｎから接続解除されたときに、自動的にＤＡＰ２再生状態またはＤＡＰ３再生状態に移行し、ＤＡＰ２または３からのオーディオデータを増幅装置５に再生させる。図２２に示すように、マイコン１Ａは、ＰＣ再生状態であるか否かを判断する（Ｓ１５１）。または、Ｓ１５１でマイコン１Ａは、ＰＣ再生状態であり、かつ、ＰＣ４がオーディオファイルを再生しているか否かを判断してもよい。ＰＣ４がオーディオファイルを再生しているか否かはＰＣ４から通知されてもよく、オーディオデータの入力有無をクレードル１において検出してもよい。ＰＣ再生状態であれば（Ｓ１５１でＹＥＳ）、マイコン１Ａは、ＰＣ４がＵＳＢ端子ＩＮから接続解除された（又は電源オフ状態とされた、以下同様。）か否かを判断する（Ｓ１５２）。接続解除されない場合（Ｓ１５２でＮＯ）、処理はＳ１５１に戻る。ＰＣ４が接続解除された場合（１５２でＹＥＳ）、マイコン１ＡはＤＡＰ２がコネクタ１Ｌに接続されているか否かを判断する（Ｓ１５３）。ＤＡＰ２が接続されている場合（Ｓ１５３でＹＥＳ）、マイコン１Ａは、ＤＡＰ２再生状態に切り換える（Ｓ１５４）。つまり、マイコン１Ａは、スイッチ１Ｅにコネクタ１Ｌとスイッチ１Ｇとを接続させ、スイッチ１Ｇにスイッチ１Ｅとホストコントローラ１Ｂとを接続させ、スイッチ１Ｈに出力端子１Ｏとホストコントローラ１Ｂとを接続させる。また、マイコン１Ａは、ＤＡＰ２がオーディオデータを再生してない場合には、ＤＡＰ２にオーディオデータを再生開始する指示を送信する（Ｓ１５４）。従って、ＰＣ４が接続解除された後には、自動的にＤＡＰ２からのオーディオデータを増幅装置５に出力し、再生することができる。
【０１１２】
ＤＡＰ２が接続されていない場合（Ｓ１５３でＮＯ）、ＤＡＰ２再生状態に切り換えず、マイコン１Ａは、ＤＡＰ３がコネクタ１Ｍに接続されているか否かを判断する（Ｓ１５５）。ＤＡＰ３が接続されている場合（Ｓ１５５でＹＥＳ）、マイコン１Ａは、ＤＡＰ３再生状態に切り換える（Ｓ１５６）。つまり、マイコン１Ａは、スイッチ１Ｆにコネクタ１Ｍとスイッチ１Ｇとを接続させ、スイッチ１Ｇにスイッチ１Ｆとホストコントローラ１Ｂとを接続させ、スイッチ１Ｈに出力端子１Ｏとホストコントローラ１Ｂとを接続させる。また、マイコン１Ａは、ＤＡＰ３がオーディオデータを再生してない場合には、ＤＡＰ３にオーディオデータを再生開始する指示を送信する（Ｓ１５６）。従って、ＰＣ４が接続解除された後には、自動的にＤＡＰ３からのオーディオデータを増幅装置５に出力し、再生することができる。一方、ＤＡＰ３が接続されていない場合（Ｓ１５５でＮＯ）、ＤＡＰ３再生状態に切り換えず、Ｓ１５１に戻る。
【０１１３】
なお、Ｓ１５３、Ｓ１５５、Ｓ１５６の処理を省略し、ＰＣ４が接続解除された際に、必ずＤＡＰ２再生状態に切り換えてもよい。また、Ｓ１５３〜Ｓ１５５の処理を省略し、ＰＣ４が接続解除された際に、必ずＤＡＰ３再生状態に切り換えてもよい。
【０１１４】
図２３は図２２の変形例であり、図２２と同じ処理には同じ符号を付け、説明を省略する。マイコン１Ａは、ＰＣ再生状態であり、かつ、ＰＣ４がオーディオファイルを再生している場合に（Ｓ１５１でＹＥＳ）、ＰＣ４が再生中のオーディオファイルの特定情報（例えば、曲名とアーティスト名との組み合わせ）を図示しないメモリに記憶する。ＰＣ４が再生中のオーディオファイルの特定情報は再生中のオーディオファイルが変更される毎にＰＣ４からマイコン１Ａに送信されるとよい。
【０１１５】
Ｓ１５３でＹＥＳと判断されると、マイコン１Ａは、ＰＣ４が接続解除される直前に再生していたオーディオファイルと同じオーディオファイルがＤＡＰ２にも記録されているか否かを判断する（Ｓ１５８）。すなわち、ＤＡＰ２が記録している全オーディオファイルのリストをＤＡＰ２とホストコントローラ１Ｂとが接続されたときに予めＤＡＰ２から取得して、メモリに記憶しておく。マイコン１Ａは、ＰＣ４が接続解除される直前に再生していたオーディオファイルの特定情報をメモリから読み出して、当該オーディオファイルの特定情報が、ＤＡＰ２が記録している全オーディオファイルのリストに含まれているかを確認する。
【０１１６】
ＰＣ４が接続解除される直前に再生していたオーディオファイルと同じオーディオファイルがＤＡＰ２にも記録されている場合（Ｓ１５８でＹＥＳ）、マイコン１Ａは、ＤＡＰ２再生状態に切り換える（Ｓ１５４）。そして、マイコン１Ａは、ＰＣ４が接続解除される直前に再生していたオーディオファイルと同じオーディオファイルを再生開始する指示をＤＡＰ２に送信する（Ｓ１５４）。従って、ＰＣ４が接続解除された後には、自動的に、ＰＣ４が接続解除される直前に再生していたオーディオファイルをＤＡＰ２に再生させ、ＤＡＰ２からのオーディオデータを増幅装置５に出力することができる。
【０１１７】
一方、ＰＣ４が接続解除される直前に再生していたオーディオファイルと同じオーディオファイルがＤＡＰ２に記録されていない場合（Ｓ１５８でＮＯ）、ＤＡＰ２再生状態に切り換えず、Ｓ１５５に進む。Ｓ１５５でＹＥＳと判断されると、マイコン１Ａは、ＰＣ４が接続解除される直前に再生していたオーディオファイルと同じオーディオファイルがＤＡＰ３にも記録されているか否かを判断する（Ｓ１５９）。すなわち、ＤＡＰ３が記録している全オーディオファイルのリストをＤＡＰ３とホストコントローラ１Ｂとが接続されたときに予めＤＡＰ３から取得して、メモリに記憶しておく。マイコン１Ａは、ＰＣ４が接続解除される直前に再生していたオーディオファイルの特定情報をメモリから読み出して、当該オーディオファイルの特定情報が、ＤＡＰ３が記録している全オーディオファイルのリストに含まれているかを確認する。
【０１１８】
ＰＣ４が接続解除される直前に再生していたオーディオファイルと同じオーディオファイルがＤＡＰ３にも記録されている場合（Ｓ１５９でＹＥＳ）、マイコン１Ａは、ＤＡＰ３再生状態に切り換える（Ｓ１５６）。そして、マイコン１Ａは、ＰＣ４が接続解除される直前に再生していたオーディオファイルと同じオーディオファイルを再生開始する指示をＤＡＰ３に送信する（Ｓ１５６）。従って、ＰＣ４が接続解除された後には、自動的に、ＰＣ４が接続解除される直前に再生していたオーディオファイルをＤＡＰ３に再生させ、ＤＡＰ３からのオーディオデータを増幅装置５に出力することができる。一方、ＰＣ４が接続解除される直前に再生していたオーディオファイルと同じオーディオファイルがＤＡＰ３に記録されていない場合（Ｓ１５９でＮＯ）、ＤＡＰ３再生状態に切り換えず、Ｓ１５１に戻る。
【０１１９】
図２４は図２３の変形例であり、図２３と同じ処理には同じ符号を付け、説明を省略する。Ｓ１５３でＹＥＳと判断されると、マイコン１ＡはＤＡＰ２再生状態に切り換える（Ｓ１６０）。その後、マイコン１Ａは、ＰＣ４が接続解除される直前に再生していたオーディオファイルと同じオーディオファイルがＤＡＰ２にも記録されているか否かを判断する（Ｓ１５８）。ＰＣ４が接続解除される直前に再生していたオーディオファイルと同じオーディオファイルがＤＡＰ２にも記録されている場合（Ｓ１５８でＹＥＳ）、マイコン１Ａは、ＰＣ４が接続解除される直前に再生していたオーディオファイルと同じオーディオファイルを再生開始する指示をＤＡＰ２に送信する（Ｓ１６１）。従って、ＰＣ４が接続解除された後には、自動的に、ＰＣ４が接続解除される直前に再生していたオーディオファイルをＤＡＰ２に再生させ、ＤＡＰ２からのオーディオデータを増幅装置５に出力することができる。一方、ＰＣ４が接続解除される直前に再生していたオーディオファイルと同じオーディオファイルがＤＡＰ２に記録されていない場合（Ｓ１５８でＮＯ）、マイコン１Ａは、ＤＡＰ２がオーディオデータを再生してない場合には、ＤＡＰ２にオーディオデータを再生開始する指示を送信する（Ｓ１６２）。従って、ＰＣ４が接続解除された後には、自動的にＤＡＰ２からのオーディオデータを増幅装置５に出力することができる。
【０１２０】
Ｓ１５５でＹＥＳと判断されると、マイコン１ＡはＤＡＰ３再生状態に切り換える（Ｓ１６３）。その後、マイコン１Ａは、ＰＣ４が接続解除される直前に再生していたオーディオファイルと同じオーディオファイルがＤＡＰ３にも記録されているか否かを判断する（Ｓ１５９）。ＰＣ４が接続解除される直前に再生していたオーディオファイルと同じオーディオファイルがＤＡＰ３にも記録されている場合（Ｓ１５９でＹＥＳ）、マイコン１Ａは、ＰＣ４が接続解除される直前に再生していたオーディオファイルと同じオーディオファイルを再生開始する指示をＤＡＰ３に送信する（Ｓ１６４）。従って、ＰＣ４が接続解除された後には、自動的に、ＰＣ４が接続解除される直前に再生していたオーディオファイルをＤＡＰ３に再生させ、ＤＡＰ３からのオーディオデータを増幅装置５に出力することができる。一方、ＰＣ４が接続解除される直前に再生していたオーディオファイルと同じオーディオファイルがＤＡＰ３に記録されていない場合（Ｓ１５９でＮＯ）、マイコン１Ａは、ＤＡＰ３がオーディオデータを再生してない場合には、ＤＡＰ３にオーディオデータを再生開始する指示を送信する（Ｓ１６５）。従って、ＰＣ４が接続解除された後には、自動的にＤＡＰ３からのオーディオデータを増幅装置５に出力することができる。
【０１２１】
次に、本発明の別の実施形態によるクレードルのハードウェア構成を説明する。図２５に示すクレードル１０１は、図２のクレードル１と比較して、オーディオ処理部１Ｄとスイッチ１Ｈとが省略されている。クレードル１０１によると、ＰＣ４からのオーディオデータを増幅装置５に出力することができない（ＰＣ再生状態が存在しない）。
【０１２２】
図２６に示すクレードル２０１は、図２のクレードル１と比較して、スイッチ１Ｇが省略されている。ＤＡＰ２再生状態では、スイッチ１Ｅがコネクタ１Ｌとホストコントローラ１Ｂとを接続し、スイッチ１Ｈが出力端子１Ｏとホストコントローラ１Ｂとを接続する。ＤＡＰ３再生状態では、スイッチ１Ｆがコネクタ１Ｍとホストコントローラ１Ｂとを接続し、スイッチ１Ｈが出力端子１Ｏとホストコントローラ１Ｂとを接続する。クレードル２０１によると、スイッチ１Ｅがコネクタ１Ｌとホストコントローラ１Ｂとを接続する（ＤＡＰ２再生状態）際には、スイッチ１Ｆは必ずコネクタ１Ｍとハブ１Ｃとを接続する。従って、ＤＡＰ２再生状態とＤＡＰ３再生状態とが同時に実行されることを防止できる。また、このとき、ＤＡＰ２にはホストコントローラ１Ｂから充電コマンドが送信され、ＤＡＰ３にはホストコントローラ４Ａから充電コマンドが送信されるので、ＤＡＰ２および３を両方とも充電させることができる。同様に、スイッチ１Ｆがコネクタ１Ｍとホストコントローラ１Ｂとを接続する（ＤＡＰ３再生状態）際には、スイッチ１Ｅは必ずコネクタ１Ｌとハブ１Ｃとを接続する。
【０１２３】
図２７に示すクレードル３０１は、図２のクレードル１と比較して、スイッチ１Ｇがホストコントローラ１Ｂの内部に設けられている。
【０１２４】
図２８に示すクレードル４０１は、図２のクレードル１と比較して、ホストコントローラ１Ｒがさらに設けられている。ホストコントローラ１ＢはＤＡＰ２を制御し、ホストコントローラ１ＲはＤＡＰ３を制御する。スイッチ１Ｅは、コネクタ１Ｌとホストコントローラ１Ｂとを接続するか、または、コネクタ１Ｌとハブ１Ｃとを接続するかを切り換える。スイッチ１Ｆは、コネクタ１Ｍとホストコントローラ１Ｒとを接続するか、または、コネクタ１Ｍとハブ１Ｃとを接続するかを切り換える。スイッチ１Ｈは、出力端子１Ｏをホストコントローラ１Ｂに接続するか、出力端子１Ｏをホストコントローラ１Ｒに接続するか、又は、出力端子１Ｏをオーディオ処理部１Ｄに接続するかを切り換える。ＤＡＰ２再生状態では、スイッチ１Ｅがコネクタ１Ｌとホストコントローラ１Ｂとを接続し、スイッチ１Ｈが出力端子１Ｏとホストコントローラ１Ｂとを接続する。ＤＡＰ３再生状態では、スイッチ１Ｆがコネクタ１Ｍとホストコントローラ１Ｒとを接続し、スイッチ１Ｈが出力端子１Ｏとホストコントローラ１Ｒとを接続する。
【０１２５】
図２９は、本発明のクレードルを内蔵する増幅装置１０５を示すブロック図である。増幅装置１０５のように、上記いずれかのクレードルは、増幅装置に内蔵されてもよく、または、ＰＣ４に内蔵されてもよい。
【０１２６】
以上、本発明の好ましい実施形態を説明したが、本発明はこれらの実施形態には限定されない。オーディオデータの代わりに映像データや静止画データでもよく、これらを総称してコンテンツデータという。コンテンツデータを所定フォーマットでエンコードしたものをコンテンツファイルという。また、オーディオ処理部１ＤがオーディオデータをＤＡ変換する場合、アナログのオーディオ信号が増幅装置５に出力される。また、オーディオ処理部１Ｄがクレードル１に内蔵されておらず、クレードル１と増幅装置５との間に接続されてもよい。また、本発明は、上記のクレードルや増幅装置の動作をコンピュータに実行させるためのコンピュータプログラムという形態で提供することもできる。携帯型コンテンツ再生装置は、携帯電話、ポータブルカーナビ、ポータブルＴＶ、ポータブルＣＤプレーヤ、携帯ゲーム機等でもよい。
【産業上の利用可能性】
【０１２７】
本発明は、携帯型コンテンツ再生装置のクレードルに好適に採用され得る。
【符号の説明】
【０１２８】
１              クレードル
１Ａ            マイコン（スイッチ制御部）
１Ｂ            ホストコントローラ
１Ｃ            ＵＳＢハブ
１Ｄ            オーディオ処理部（下流側デバイス）
１Ｅ            スイッチ（第１スイッチ）
１Ｆ            スイッチ（第２スイッチ）
１Ｇ            スイッチ（第３スイッチ）
１Ｈ            スイッチ（第４スイッチ）
１Ｉ            電源部
１Ｊ            リモコン受信部
１Ｋ            操作部
１Ｌ            ＤＡＰ接続コネクタ（第１接続部）
１Ｍ            ＤＡＰ接続コネクタ（第２接続部）
１Ｎ            ＵＳＢ端子（第３続部）
１Ｏ            出力端子
１Ｐ            制御信号入出力端子
２              携帯型コンテンツ再生装置
３              携帯型コンテンツ再生装置
４              ＰＣ（コンピュータ）
４Ａ            ホストコントローラ
５              増幅装置
５Ａ            マイコン
５Ｂ            セレクタ
５Ｃ            増幅部
５Ｄ            表示部（表示装置）
５Ｅ            リモコン受信部
５Ｆ            操作部
５Ｋ            メモリ
【図１】
0005446845.tif 000002
【図２】
0005446845.tif 000003
【図３】
0005446845.tif 000004
【図４】
0005446845.tif 000005
【図５】
0005446845.tif 000006
【図６】
0005446845.tif 000007
【図７】
0005446845.tif 000008
【図８】
0005446845.tif 000009
【図９】
0005446845.tif 000010
【図１０】
0005446845.tif 000011
【図１１】
0005446845.tif 000012
【図１２】
0005446845.tif 000013
【図１３】
0005446845.tif 000014
【図１４】
0005446845.tif 000015
【図１５】
0005446845.tif 000016
【図１６】
0005446845.tif 000017
【図１７】
0005446845.tif 000018
【図１８】
0005446845.tif 000019
【図１９】
0005446845.tif 000020
【図２０】
0005446845.tif 000021
【図２１】
0005446845.tif 000022
【図２２】
0005446845.tif 000023
【図２３】
0005446845.tif 000024
【図２４】
0005446845.tif 000025
【図２５】
0005446845.tif 000026
【図２６】
0005446845.tif 000027
【図２７】
0005446845.tif 000028
【図２８】
0005446845.tif 000029
【図２９】
0005446845.tif 000030